(57)【要約】      （修正有）【課題】ユーザがシートのセット作業を容易に行うことができる表示制御プログラム及び画像形成装置を提供する。【解決手段】自動的に用紙の両面に画像を印刷する機構を有しないレーザプリンタにおいて、表裏の区別及び天地の区別を有する用紙の両面に画像を印刷する場合、ユーザは表示装置に表示された第１指示画面Ｐ１０により、最初に画像を形成すべき用紙の面の向きを知ることができる。これにより、ユーザは、用紙の画像を形成すべき面をどちら側に向けて載置すればよいかを自分で考慮しなくてもよいから、用紙カセット又はＭＰトレイへの用紙の載置作業を容易に行うことができる。【選択図】図１６
2008155475.tif 000002
【特許請求の範囲】
【請求項１】
画像形成装置と、表示装置とにアクセス可能なコンピュータに、
前記画像形成装置にシートの一方の面に画像を形成させた後に他方の面に画像を形成させることで前記シートの両面に画像を形成させる両面印刷モードが要求された場合には、前記画像形成装置の載置部への前記シートの載置方法について、最初に画像を形成すべき前記シートの面の向きを表示する第１指示画面を前記表示装置に表示させる第１表示処理を実行させる表示制御プログラム。
【請求項２】
前記コンピュータに、
前記シートに最初に画像を形成すべき面が指定されなかった場合には、前記第１指示画面を表示しない第１表示制御処理を実行させる請求項１に記載の表示制御プログラム。
【請求項３】
前記第１指示画面には、前記シートの搬送方向に対する前記シートの向きが表示されている請求項１または請求項２に記載の表示制御プログラム。
【請求項４】
前記シートに、最初に、印刷対象画像の偶数ページから画像を形成させる場合には、前記第１指示画面には、前記両面印刷モードにおいて画像を形成させるために必要な前記シートの枚数が表示されている請求項１ないし請求項３のいずれか１項に記載の表示制御プログラム。
【請求項５】
前記コンピュータに、  
前記シートに、最初に印刷対象画像の偶数ページから画像を形成させる場合には、前記載置部に載置された前記シートを裏返す指示をする第２指示画面を前記表示装置に表示させる第２表示処理を実行させる請求項１ないし請求項４のいずれか１項に記載の表示制御プログラム。
【請求項６】
前記コンピュータに、
前記シートに、最初に、印刷対象画像の奇数ページから画像を形成させる場合には、画像形成後に前記画像形成装置の積載部に積載される前記シートを裏返す指示をする第３指示画面を前記表示装置に表示させる第３表示処理を実行させる請求項１ないし請求項５のいずれか１項に記載の表示制御プログラム。
【請求項７】
前記第３指示画面には、裏返すべき前記シートの枚数が表示されている請求項６に記載の表示制御プログラム。
【請求項８】
前記画像形成装置には前記載置部が複数設けられており、
前記第１指示画面には、前記各載置部への前記シートの載置方法が表示されている請求項１ないし請求項７のいずれか１項に記載の表示制御プログラム。
【請求項９】
前記コンピュータに、
最初に、印刷対象画像の奇数ページから画像を形成させる場合には、前記表示手段に前記第１指示画面を表示させない第２表示制御処理を実行させる請求項１ないし請求項８のいずれか１項に記載の表示制御プログラム。
【請求項１０】
表示部を備えた画像形成装置であって、
前記画像形成装置にシートの一方の面に画像を形成させた後に他方の面に画像を形成させることで前記シートの両面に画像を形成させる両面印刷モードが要求された場合には、前記画像形成装置の載置部への前記シートの載置方法について、最初に画像を形成すべき前記シートの面の向きを表示する第１指示画面を前記表示部に表示する第１表示処理を実行する画像形成装置。
【請求項１１】
前記シートに最初に画像を形成すべき面が指定されなかった場合には、前記第１指示画面を表示しない第１表示制御処理を実行する請求項１０に記載の画像形成装置。
【請求項１２】
前記第１指示画面には、前記シートの搬送方向に対する前記シートの向きが表示されている請求項１０または請求項１１に記載の画像形成装置。
【請求項１３】
前記シートに、最初に、印刷対象画像の偶数ページから画像を形成させる場合には、前記第１指示画面には、前記両面印刷モードにおいて画像を形成させるために必要な前記シートの枚数が表示されている請求項１０ないし請求項１２のいずれか１項に記載の画像形成装置。
【請求項１４】
前記シートに、最初に印刷対象画像の偶数ページから画像を形成させる場合には、前記載置部に載置された前記シートを裏返す指示をする第２指示画面を前記表示部に表示する第２表示処理を実行する請求項１０ないし請求項１３のいずれか１項に記載の画像形成装置。
【請求項１５】
前記シートに、最初に、印刷対象画像の奇数ページから画像を形成させる場合には、画像形成後に前記画像形成装置の積載部に積載される前記シートを裏返す指示をする第３指示画面を前記表示部に表示する第３表示処理を実行する請求項１０ないし請求項１４のいずれか１項に記載の画像形成装置。
【請求項１６】
前記第３指示画面には、裏返すべき前記シートの枚数が表示されている請求項１５に記載の画像形成装置。
【請求項１７】
請求項１０ないし請求項１６のいずれか１項に記載の画像形成装置であって、
前記載置部は複数設けられており、前記第１指示画面には、前記各載置部への前記シートの載置方法が表示されている画像形成装置。
【請求項１８】
最初に、印刷対象画像の奇数ページから画像を形成させる場合には、前記表示部に前記第１指示画面を表示しない第２表示制御処理を実行する請求項１０ないし請求項１７のいずれか１項に記載の画像形成装置。
【発明の詳細な説明】
【技術分野】
【０００１】
本発明は、表示制御プログラム及び画像形成装置に関する。
【背景技術】
【０００２】
例えば、用紙の両面に印刷を行う両面印刷ユニットを有しない画像形成装置において両面印刷を行うためには、次のようにして行うことができる。まず、用紙の一方の面に印刷を行う。次に、一方の面への印刷が終了して排紙トレイに排出された用紙を再び給紙トレイにセットし直して、今度は他方の面に印刷を行う。これにより用紙の両面に印刷することが可能となる。
【０００３】
しかしながら、一方の面への印刷が終了した用紙を給紙トレイにセットし直す際に、ユーザは、用紙の他方の面をどちら側に向けて載置すれば他方の面に印刷できるかを考慮しなければならず、この作業は煩わしいものとなっていた。
【０００４】
そこで、用紙の他方の面をどちら側に向けて載置すれば他方の面に印刷できるかを、表示装置に表示された画像によりユーザに表示することが考えられる（例えば、特許文献１参照）。これにより、一方の面への印刷が終了した用紙を給紙トレイにセットし直す際の煩わしさの軽減が期待される。
【特許文献１】特開平１１−２０２７１号公報
【発明の開示】
【発明が解決しようとする課題】
【０００５】
しかしながら、例えば一方の面にのみ企業のロゴが印刷された用紙のように、表裏の区別がある用紙に両面印刷するときには、給紙トレイに最初に用紙をセットするときから、用紙の面の向きを考慮しなければならない場合がある。すなわち、例えば、ロゴが印刷された面に奇数ページ（１、３、５、…）を印刷しようとした場合には、ロゴが印刷された面をどちら側に向けて給紙トレイに載置すればよいのかユーザが考慮しなければならず、煩わしい。
【０００６】
本発明は上記のような事情に基づいて完成されたものであって、ユーザがシートのセット作業を容易に行うことができる表示制御プログラム及び画像形成装置を提供することを目的とする。
【課題を解決するための手段】
【０００７】
上記の目的を達成するための手段として、請求項１の発明は、表示制御プログラムであって、画像形成装置と、表示装置とにアクセス可能なコンピュータに、前記画像形成装置にシートの一方の面に画像を形成させた後に他方の面に画像を形成させることで前記シートの両面に画像を形成させる両面印刷モードが要求された場合には、前記画像形成装置の載置部への前記シートの載置方法について、最初に画像を形成すべき前記シートの面の向きを表示する第１指示画面を前記表示装置に表示させる第１表示処理を実行させるものである。
【０００８】
請求項２の発明は、請求項１に記載の表示制御プログラムにおいて、前記コンピュータに、前記シートに最初に画像を形成すべき面が指定されなかった場合には、前記第１指示画面を表示しない第１表示制御処理を実行させるものである。
【０００９】
請求項３の発明は、請求項１または請求項２に記載の表示制御プログラムにおいて、前記第１指示画面には、前記シートの搬送方向に対する前記シートの向きが表示されているものである。
【００１０】
請求項４の発明は、請求項１ないし請求項３のいずれか１項に記載の表示制御プログラムにおいて、前記シートに、最初に、印刷対象画像の偶数ページから画像を形成させる場合には、前記第１指示画面には、前記両面印刷モードにおいて画像を形成させるために必要な前記シートの枚数が表示されているものである。
【００１１】
請求項５の発明は、請求項１ないし請求項４のいずれか１項に記載の表示制御プログラムにおいて、前記コンピュータに、前記シートに、最初に印刷対象画像の偶数ページから画像を形成させる場合には、前記載置部に載置された前記シートを裏返す指示をする第２指示画面を前記表示装置に表示させる第２表示処理を実行させるものである。
【００１２】
請求項６の発明は、請求項１ないし請求項５のいずれか１項に記載の表示制御プログラムにおいて、前記コンピュータに、前記シートに、最初に、印刷対象画像の奇数ページから画像を形成させる場合には、画像形成後に前記画像形成装置の積載部に積載される前記シートを裏返す指示をする第３指示画面を前記表示装置に表示させる第３表示処理を実行させるものである。
【００１３】
請求項７の発明は、請求項６に記載の表示制御プログラムにおいて、前記第３指示画面には、裏返すべき前記シートの枚数が表示されているものである。
【００１４】
請求項８の発明は、請求項１ないし請求項７のいずれか１項に記載の表示制御プログラムにおいて、前記画像形成装置には前記載置部が複数設けられており、前記第１指示画面には、前記各載置部への前記シートの載置方法が表示されているものである。
【００１５】
請求項９の発明は、請求項１ないし請求項８のいずれか１項に記載の表示制御プログラムにおいて、前記コンピュータに、最初に、印刷対象画像の奇数ページから画像を形成させる場合には、前記表示手段に前記第１指示画面を表示させない第２表示制御処理を実行させるものである。
【００１６】
請求項１０の発明は、表示部を備えた画像形成装置であって、前記画像形成装置にシートの一方の面に画像を形成させた後に他方の面に画像を形成させることで前記シートの両面に画像を形成させる両面印刷モードが要求された場合には、前記画像形成装置の載置部への前記シートの載置方法について、最初に画像を形成すべき前記シートの面の向きを表示する第１指示画面を前記表示部に表示する第１表示処理を実行する。
【００１７】
請求項１１の発明は、請求項１０に記載のものにおいて、前記シートに最初に画像を形成すべき面が指定されなかった場合には、前記第１指示画面を表示しない第１表示制御処理を実行する。
【００１８】
請求項１２の発明は、請求項１０または請求項１１に記載のものにおいて、前記第１指示画面には、前記シートの搬送方向に対する前記シートの向きが表示されている。
【００１９】
請求項１３の発明は、請求項１０ないし請求項１２のいずれか１項に記載のものにおいて、前記シートに、最初に、印刷対象画像の偶数ページから画像を形成させる場合には、前記第１指示画面には、前記両面印刷モードにおいて画像を形成させるために必要な前記シートの枚数が表示されている。
【００２０】
請求項１４の発明は、請求項１０ないし請求項１３のいずれか１項に記載のものにおいて、前記シートに、最初に印刷対象画像の偶数ページから画像を形成させる場合には、前記載置部に載置された前記シートを裏返す指示をする第２指示画面を前記表示部に表示する第２表示処理を実行する。
【００２１】
請求項１５の発明は、請求項１０ないし請求項１４のいずれか１項に記載のものにおいて、前記シートに、最初に、印刷対象画像の奇数ページから画像を形成させる場合には、画像形成後に前記画像形成装置の積載部に積載される前記シートを裏返す指示をする第３指示画面を前記表示部に表示する第３表示処理を実行する。
【００２２】
請求項１６の発明は、請求項１５に記載のものにおいて、前記第３指示画面には、裏返すべき前記シートの枚数が表示されている。
【００２３】
請求項１７の発明は、請求項１０ないし請求項１６のいずれか１項に記載の画像形成装置であって、前記載置部は複数設けられており、前記第１指示画面には、前記各載置部への前記シートの載置方法が表示されている。
【００２４】
請求項１８の発明は、請求項１０ないし請求項１７のいずれか１項に記載のものにおいて、最初に、印刷対象画像の奇数ページから画像を形成させる場合には、前記表示部に前記第１指示画面を表示しない第２表示制御処理を実行する。
【発明の効果】
【００２５】
＜請求項１の発明＞
請求項１の発明によれば、ユーザは表示装置に表示された第１指示画面により、最初に画像を形成すべきシートの面の向きを知ることができる。これにより、ユーザは、シートの画像を形成すべき面をどちら側に向けて載置すればよいかを自分で考慮しなくてもよいから、載置部へのシートの載置作業を容易に行うことができる。
【００２６】
＜請求項２及び請求項１１の発明＞
最初に画像を形成すべき面が指定されない場合には、シートのいずれの面をどちら側に向けて載置部に載置しても、シートには適切に画像が形成される。このような場合にまで、第１指示画面が表示されて、ユーザがその内容を確認しなければならないとなると、煩わしい。
【００２７】
請求項２及び請求項１１の発明によれば、最初に画像を形成すべき面が指定されない場合には、第１指示画面が表示されない。このため、ユーザは第１指示画面の確認を行わなくてもよい。
【００２８】
＜請求項３及び請求項１２の発明＞
例えば、会社のロゴがシートの下縁にのみ印刷されているシートに画像を形成する場合、シートの搬送方向に対してロゴをどちら側に位置させて載置すれば、ロゴが下縁に位置した状態で正立画像が形成されるかを、ユーザが考慮する必要がある。
【００２９】
請求項３及び請求項１２の発明によれば、ユーザは第１指示画面に表示された、シートの搬送方向に対するシートの向きに従って載置部にシートを載置すればいよいので、ユーザの負担を軽減できる。
【００３０】
＜請求項４及び請求項１３の発明＞
シートの片面にのみ画像が形成される場合、シートの画像形成面には、印刷対象画像の１ページから順に、２、３、…と画像が形成される。一方、最初に印刷対象画像の偶数ページから画像が形成される場合には、シートの画像形成面には、印刷対象画像の２ページから順に、４、６、…と画像が形成される。このため、最初に印刷対象の偶数ページから画像を形成する場合には、シートの面の向きを、シートの片面にのみ画像が形成される場合と反対に向けておく（裏返す）必要がある。
【００３１】
この場合に、画像形成に必要な枚数よりも多くのシートを裏返すと、両面印刷が終了した後に、再びシートを裏返す必要があるので、煩わしい。一方、画像形成に必要な枚数よりも少ないシートを裏返した場合には、所望の面に画像が形成されないシートが混在することになる。このように、画像形成に必要な枚数を常に考慮することは、ユーザにとって負担である。
【００３２】
請求項４及び請求項１３の発明によれば、ユーザは、第１指示画面に表示された指示に従って、画像形成に必要な枚数のシートにつき、シートの面の向きを考慮すればよいから、ユーザの負担を軽減できる。
【００３３】
＜請求項５及び請求項１４の発明＞
シートに、最初に印刷対象画像の偶数ページから画像を形成させる場合に、全てのシートを、片面印刷時に使用する面を裏返して載置すると、両面印刷モードが終了したときに、載置部に裏返されたシートが残存する場合がある。裏返されたシートが残存した状態のまま、片面印刷モードで画像を形成すると、所望の面に画像が形成されなくなることが懸念される。
【００３４】
請求項５及び請求項１４の発明によれば、ユーザは第２指示画面に表示された指示にしたがって、両面印刷モードが終了した後に、載置部に（片面印刷時に使用する面を裏返して）載置されたシートを（さらに）裏返す。これにより、両面印刷モードの終了後に、片面印刷時に使用する面を裏返して載置されたシートが残存することを防止できる。
【００３５】
＜請求項６及び請求項１５の発明＞
両面印刷モードにおいて、シートに、印刷対象画面の奇数ページから画像を形成させる場合、シートの一方の面に画像が形成された状態では、シートは、片面印刷モードで画像が形成されたときと同じ順序（奇数ページが昇順、フェイスダウン排紙）で積載されるようになっている。引き続いて、シートの他方の面に画像を形成すると、シートの並び順は、今度は、片面印刷モードの場合と逆順（フェイスアップ排紙）になる。
【００３６】
請求項６及び請求項１５の発明によれば、ユーザは、第３指示画面に表示された指示に従い、両面印刷モードが終了した後に、シートを裏返すことで、シートの並び順を、片面印刷モードにおけるシートの並び順（フェイスダウン排紙）と同じにすることができる。
【００３７】
＜請求項７及び請求項１６の発明＞
請求項７及び請求項１６の発明によれば、ユーザは、シートを何枚裏返せばいいかを知ることができる。
【００３８】
＜請求項８及び請求項１７の発明＞
画像形成装置に載置部が複数設けられている場合、各載置部において、画像を形成すべきシートの面をどちら側に向けて載置するかが異なる場合がある。すると、ユーザは、画像を形成すべきシート面をどちら側に向けて載置すべきか、混乱することが懸念される。
【００３９】
請求項８及び請求項１７の発明によれば、ユーザは、第１指示画面により、各載置部に、画像を形成すべきシートの面をどちら側に向けて載置すればいいかを容易に判断できる。これにより、画像形成装置に載置部が複数設けられている場合でも、ユーザが混乱することを防止できる。
【００４０】
＜請求項９及び請求項１８の発明＞
シートの片面にのみ画像が形成される場合、シートの画像形成面には、印刷対象画像の１ページから順に、２、３、…と画像が形成される。シートに、印刷対象画面の奇数ページから画像を形成させる場合には、シートの画像形成面には、印刷対象画像の1ページから順に、３、５、…と画像が形成される。このため、最初に印刷対象の奇数ページから画像を形成する場合には、シートの面の向きを、シートの片面にのみ画像が形成される場合と同じ向きに載置すればよく、シートを裏返す必要がない。このような場合にまで、第１指示画面が表示されて、ユーザがその内容を確認しなければならないとなると、煩わしい。
【００４１】
請求項９及び請求項１８の発明によれば、シートに、最初に、印刷対象画像の奇数ページから画像を形成させる場合には、第１指示画面が表示されないので、ユーザは、第１表示画面の確認を行わなくてもよい。このように、ユーザは、シートを裏返す必要のない場合には、第1指示画面を確認する手間を省くことができる。
【００４２】
＜請求項１０の発明＞
請求項１０の発明によれば、ユーザは表示装置に表示された第１指示画面により、最初に画像を形成すべきシートの面の向きを知ることができる。これにより、ユーザは、シートの画像を形成すべき面をどちら側に向けて載置すればよいかを自分で考慮しなくてもよいから、載置部へのシートの載置作業を容易に行うことができる。
【００４３】
また、例えば、コンピュータと画像形成装置とがローカルエリアネットワークを介して接続されている場合には、コンピュータと画像形成装置とが離れて設置されている場合がある。この場合に、コンピュータに接続された表示装置に指示画面を表示させる構成によると、ユーザは指示画面を確認するためにコンピュータが設置された場所までわざわざ移動しなければならず、煩わしい。
【００４４】
上記の点を鑑み、請求項１０の発明においては、ユーザは、画像形成装置の表示部に表示された第１指示画面を見ることができる構成になっている。これにより、ユーザは、わざわざコンピュータが設置された場所まで移動して指示画面を確認する必要がない。
【発明を実施するための最良の形態】
【００４５】
＜実施形態１＞
本発明の実施形態１を図１ないし図２４を参照して説明する。
１．  レーザプリンタ
図１は、レーザプリンタ１（「画像形成装置」の一例）の側断面図である。以下では、図１における右側を「前側」とし、その反端側を「後側」として説明する。
【００４６】
図１に示すように、レーザプリンタ１は全体として箱状をなしている。レーザプリンタ１の本体ケーシング２には、その前側の側面にフロントカバー５が回動自在に設けられており、例えば後述するプロセスカートリッジ３１を交換するために開閉可能になっている。このフロントカバー５の下側には、印刷前の用紙（「シート」の一例）３が収容される用紙カセット（「載置部」の一例）６が上記前面側から引き出し可能に設けられている。また、レーザプリンタ１の上面には、印刷（画像形成）済みの用紙３が排紙される排紙トレイ（「積載部」の一例）４が設けられている。
【００４７】
用紙カセット６には、積層された被記録媒体としての用紙３が収納される。用紙カセット６の前端部に設けられたレバー２０は、図中反時計回りに回転することで用紙押圧板１８の前端部を上方に持ち上げ、用紙押圧板１８を供給位置に移動させる。すると、用紙押圧板１８上の用紙３は、給紙ローラ１３に押圧され、分離ローラ１１と分離パッド１２との作用により用紙３が１枚ずつ分離されて給送される。
【００４８】
また、図２に示すように、フロントカバー５には、矩形状に貫通形成された開口部５Ａを覆うようにして、マルチパーパストレイ７（「載置部」の一例、以下、「ＭＰトレイ７」という）が開閉可能に設けられている。このように本実施形態のレーザプリンタ１には、「載置部」として、用紙カセット６とＭＰトレイ７とが設けられている。図２では、このＭＰトレイ７が開いた状態を示す。
【００４９】
ＭＰトレイ７は、本体ケーシング２に対して下端部側が回転軸７Ａを介して軸支され、その回転軸７Ａを中心に開閉可能となっており、その内面部分７Ｂを上方に向けた状態で係止され（図１参照）、この内面部分７Ｂに手差し用の用紙３が積載されるトレイ部７Ｃが設けられている。なお、このトレイ部７Ｃは、ＭＰトレイ７が開いた状態で、後端側（用紙３の挿入先端側）が下方に傾斜した姿勢になる。このＭＰトレイ７は、任意のサイズの用紙３を積層状に載置可能に構成されている。
【００５０】
また、用紙カセット６の前端側上部にはマルチパーパスユニット（以下、「ＭＰユニット７０」）が配置される。ＭＰユニット７０では、ＭＰ分離ローラ６２とＭＰ分離パッド６３とが対向接触した状態で、付勢部材６５の付勢力によってＭＰ分離パッド６３がＭＰ分離ローラ６２に向かって押圧される。そして、ＭＰトレイ７上に積層される最上位の用紙３は、ＭＰ給紙ローラ６１の回転によってＭＰ分離ローラ６２とＭＰ分離パッド６３とで挟まれた後、それらの協働により、１枚ずつ分離されて給送される。
【００５１】
用紙カセット６の上方、且つ、ＭＰトレイ７の後方には、プロセスカートリッジ３１が配置される。プロセスカートリッジ３１はフロントカバー５を開けることで本体ケーシング２に対して着脱可能とされ、トナー４４交換等のメンテナンスに際して前方へ引き抜かれる。トナー収容室４５に収容されているトナー４４は、供給ローラ４６と現像ローラ４７との間の摩擦により正に帯電される。感光ドラム４０の表面は、感光ドラム４０の回転に伴って、まず、スコロトロン型帯電器４１により一様に正に帯電された後、スキャナ部３０からのレーザ光Ｌにより露光される。これにより、感光ドラム４０の表面には、用紙３上に形成すべき画像に対応した静電潜像が形成される。次いで、現像ローラ４７の回転により、現像ローラ４７上のトナーが感光ドラム４０の表面に供給され、静電潜像にトナーが付着し、静電潜像が可視化されてトナー像が形成される。感光ドラム４０の表面に担持されたトナー像は、用紙３が感光ドラム４０と転写ローラ４３との間を通過する間に、転写ローラ４３に印加される転写バイアス電圧によって用紙３上に転写される。尚、用紙３には、印刷対象画像が天側から順に転写されるようになっている。
【００５２】
プロセスカートリッジ３１の後方には、用紙３上にトナーを定着させるための定着部３２が設けられている。定着部３２は転写された用紙３上にトナーを加熱溶融させるための加熱ローラ５０と、加熱ローラ５０に対向して配置され、給送される用紙３を加熱ローラ５０に向けて押圧する加圧ローラ５１とを備える。
【００５３】
加熱ローラ５０及び加圧ローラ５１の後方には、本体ケーシング２の上面に向かって上下方向に延びた排紙パス５２が設けられており、定着部３２から排紙パス５２に搬送された用紙３は、その上側に設けられた排紙ローラ５３によって排紙トレイ４上に排出される。
【００５４】
図１に示すように、用紙カセット６から給紙される用紙３に画像を形成する場合、用紙３は、まず、用紙カセット６の前部付近で、折り返されるようにして反転搬送される。続いて、用紙３は、矢線に示す第１搬送経路５５に沿ってレーザプリンタ１内を後方へ搬送される途中で、感光ドラム４０と転写ローラ４３との間を通過する。このとき、用紙３の上面に画像が形成される。その後、用紙３は排紙パス５２において、再び折り返されるようにして反転搬送され、排紙トレイ４上に排出される。このため、用紙３は、排紙トレイ４に、画像が形成された面を下向きにして積載される（フェイスダウン排紙）。このように、用紙カセット６に用紙３を載置する場合には、画像を形成すべき面を図１における下方に向けて載置しておく必要がある。
【００５５】
一方、図２に示すように、ＭＰトレイ７から給紙される用紙３に画像を形成する場合、用紙３は、ＭＰトレイ７から、矢線に示す第２搬送経路５６に沿って、レーザプリンタ１内を後方へ搬送される途中で、感光ドラム４０と転写ローラ４３との間を通過する。このとき、用紙３の上面に画像が形成される。用紙カセット６から用紙３が搬送される場合と異なり、ＭＰトレイ７から用紙３が搬送される場合、用紙３は感光ドラム４０等の上流側で反転搬送されない。このため、ＭＰトレイ７に用紙３を載置する場合には、画像を形成すべき面を図２における上方に向けて載置しておく必要がある。その後の用紙３の搬送経路は用紙カセット６の場合と同様に第１搬送経路５５であるので重複する説明を省略する。
【００５６】
２．  ハードウェア構成
図３は、画像形成システム８０を示すブロック図である。この画像形成システム８０は、パーソナルコンピュータ８１と、レーザプリンタ１とが、例えばＬＡＮケーブル８２を介して接続されることにより構成されている。レーザプリンタ１は、パーソナルコンピュータ８１から出力される画像データを受信すると、この受信した画像データに基づき画像形成を実行する。
【００５７】
パーソナルコンピュータ８１は、外部からの入力操作を受け付ける操作部８３（例えばキーボードやマウス等）と、印刷しようとする画像のプレビュー画面やユーザーインターフェース画面等を表示可能な表示装置８４と、ＲＯＭ８５と、ＲＡＭ８６と、ＣＰＵ８７（「コンピュータ」の一例）と、ハードディスク（以下、「ＨＤＤ」という）８８と、ネットワークインターフェース（以下、「ネットワークＩ／Ｆ」という）８９とを備えて構成されている。ＨＤＤ８８には、本発明の表示制御プログラム、レーザプリンタ１に出力する画像データを作成するためのアプリケーションソフト、及び、プリンタドライバ等が記憶されている。ＣＰＵ８７は、操作部８３から入力される起動指令等に基づいて、表示制御プログラム、アプリケーションソフト、及び、プリンタドライバ等をＨＤＤ８８から読み出して実行する。
【００５８】
ＲＯＭ８５には、パーソナルコンピュータ８１を制御するための各種制御プログラムや各種設定値、初期値等が予め記憶されている。
【００５９】
ＲＡＭ８６には、ＣＰＵ８７がＲＯＭ８５から読み出した各種制御プログラムや各種設定値、初期値等が一時的に記憶される。また、ＲＡＭ８６には、パーソナルコンピュータ８１内のアプリケーションソフトやプリンタドライバ等で作成された画像データが一時的に記憶される。
【００６０】
また、ＲＡＭ８６には、ユーザがパーソナルコンピュータ８１の操作部８３、又は、後述するレーザプリンタ１の操作部９０を操作することによって入力された各種の印刷条件（片面印刷モードの指定、両面印刷モードの指定、印刷枚数の指定、用紙３の表裏を区別するかしないかの指定、用紙３の綴じ方の指定、Ｎｉｎ１モードの指定、集約数Ｎの指定等）が一時的に記憶される。
【００６１】
ユーザが所定の操作を行うことによって、操作部８３からＣＰＵ８７に対して印刷要求指令が出力される。ＣＰＵ８７が操作部８３からの印刷要求指令を受信すると、アプリケーションソフトにて作成された画像データをプリンタドライバに引き渡す処理が実行されると共に、プリンタドライバによって画像データを例えばＰＤＬデータに変換（展開）する処理が実行される。次いで、ネットワークＩ／Ｆ８９及びＬＡＮケーブル８２を介して、レーザプリンタ１へ画像データが出力される。
【００６２】
レーザプリンタ１は、外部からの入力操作を受け付ける操作部９０と、用紙３への画像形成操作を制御する画像形成部９１と、ＲＯＭ９２と、ＲＡＭ９３と、ＣＰＵ９４と、ネットワークインターフェース（以下、「ネットワークＩ／Ｆ」）９５と、ＵＳＢホストインターフェース（以下、「ＵＳＢホストＩ／Ｆ」）９６とを備えている。また、レーザプリンタ１は、ＵＳＢメモリ９７が着脱可能に装着され、このＵＳＢメモリ９７内の情報がＵＳＢホストＩ／Ｆ９６を介して読み込まれるようになっている。このＵＳＢメモリ９７には印刷対象の画像ファイルが記憶されており、レーザプリンタ１は、このＵＳＢメモリ９７に記憶された画像ファイルを読み込んで、この画像ファイルを印刷可能となっている。
【００６３】
ＲＯＭ９２には、パーソナルコンピュータ８１からの問い合わせに応じて返答するプログラムや、パーソナルコンピュータ８１からの指示により処理するプログラムや、レーザプリンタ１全体の動作を制御するプログラムなどが格納されている。
【００６４】
ＣＰＵ９４は、ＲＯＭ９２に格納されたプログラムに基づいて上記パーソナルコンピュータ８１からネットワークＩ/Ｆ９５を介して受信されたＰＤＬデータについてプリンタ言語処理（ＰＤＬ処理）を行って画像形成部９１に送る制御を行う。そして、画像形成部９１は、送られてきたデータを下に画像形成対象のデータに応じた情報を用紙３に画像形成動作を実行する。
【００６５】
３．  印刷モードの説明
レーザプリンタ１では、用紙３の片面に印刷する片面印刷モード、及び、用紙３の両面に印刷する両面印刷モードの実行が可能である。
【００６６】
（１）  片面印刷モード
図４に並べて示すように、用紙３には、例えば、用紙３の表面７６であって、且つ、その天側近傍に会社のロゴ７５が印刷されており（図中左側に示した）、一方、裏面７７には何も印刷されていない場合（図中右側に示した）など、表裏の区別及び天地の区別の双方がなされるものがある。なお、以下においては、図中の上側を用紙３の天側として説明する。
【００６７】
このような複数の用紙３に画像を形成する場合において、片面印刷モードの指定がされると、レーザプリンタ１は、ＣＰＵ８７が印刷対象画像ファイルを昇順に並び替えたデータを、ＣＰＵ８７から受信し、用紙３の表面７６に印刷対象画像を昇順に印刷する（図５参照）。尚、図５の「Ｐａｇｅ１」「Ｐａｇｅ２」・・・は、用紙３に印刷された画像であり、画像中の数字は、何ページ目の画像であるかを示している。
【００６８】
図６には、用紙カセット６に用紙３を載置する場合の用紙３の載置方法を模式的に示す。図６において、用紙３の表面７６、且つ、天側の位置は、「△」で示した。上述したように、用紙カセット６に用紙３を載置する場合には、１ページ目の画像データを形成すべき面（表面）が下を向くように載置しなければならない。また、用紙３に天地の区別がある場合に正立した画像を印刷するためには（例えば、会社のロゴ７５に対して正立した画像を印刷する場合）には、用紙３の天側が、用紙カセット６の前側（用紙３の搬送方向に対して上流側）に位置するように載置しなければならない。なお、用紙３に印刷されたページ数を、丸で囲んだ数字によって示した。図６では、１〜３ページが印刷され、排紙トレイ４にフェイスダウン排紙されている。
【００６９】
一方、図７には、ＭＰトレイ７に用紙３を載置する場合の用紙３の載置方法を模式的に示す。ＭＰトレイ７に用紙３を給紙する場合には、１ページ目の画像データを印刷すべき面（表面）が上を向くように載置しなければならない。また、用紙３に天地の区別がある場合には、用紙３の天側が、ＭＰトレイ７の後側（用紙３の搬送方向に対して上流側）に位置するように載置しなければならない。
【００７０】
（２）  両面印刷モード
上述した本実施形態のレーザプリンタ１では、用紙３の一方の面に印刷対象画像を形成した後、用紙３を再搬送して、自動的に用紙３の他方の面に印刷対象画像を形成する両面印刷ユニットが設けられていない。そこで、本実施形態のレーザプリンタ１では、両面印刷モードが指定された場合、用紙３の一方の面に１回目の印刷を行った後、ユーザは、印刷後の用紙３を用紙カセット６又はＭＰトレイ７にセットし直し、用紙３の他方の面に２回目の印刷を行わなければならない。このようにして、例えば図８に示すように、用紙３の表面７６及び裏面７７に画像を印刷することができる。尚、図８における左から１番目と２番目の図は、それぞれ、１ページ目と２ページ目の画像が印刷される１枚の用紙３における表面、裏面を表しており、左から３番目と４番目の図は、それぞれ、３ページ目と４ページ目の画像が印刷される１枚の用紙３における表面、裏面を表している。
【００７１】
図９に、本実施形態において、用紙３に１回目の印刷をする場合の、用紙カセット６への用紙３の載置方法の一例を示す。まず、図９に示すように、ユーザは、用紙カセット６に、用紙３の表面７６が上を向くようにし、且つ、用紙３の天側が前側（用紙３の搬送方向上流側）に位置するようにして、用紙３を載置する。これは、片面印刷モードにおける用紙３の面の向きと異なる。続いてレーザプリンタ１は、ＣＰＵ８７が印刷対象画像ファイルの偶数ページを降順に並び替えたデータを、ＣＰＵ８７から受信し、用紙３の裏面７７に印刷対象画像ファイルの偶数ページを降順に印刷する。図９では、印刷対象画像の２、４、６ページが印刷された用紙３が排紙トレイ４にフェースダウン排紙されている。
【００７２】
次に、図１０に示すように、ユーザは、排紙トレイ４に排出された用紙３を、ＭＰトレイ７に、用紙３の表面７６が上を向くようにし、且つ、用紙３の天側がＭＰトレイ７の後側（用紙３の搬送方向の上流側）に位置するようにして、用紙３を載置する。続いて、レーザプリンタ１は、ＣＰＵ８７が印刷対象画像ファイルの奇数ページを昇順に並び替えたデータを、ＣＰＵ８７から受信して、用紙３の表面７６に、印刷対象画像の奇数ページを昇順に印刷する。すると、排紙トレイ４には、用紙３の両面に印刷対象画像が印刷された用紙３が、画像形成面を下向き（フェースダウン排紙）にして積載される。このようにして、本実施形態のレーザプリンタ１を用いて用紙３に両面印刷をすることができる（図８参照）。
【００７３】
４．  制御内容
以下に、図１１ないし図２４を参照して、表示制御プログラムについて説明する。ユーザによって印刷の開始指令が入力されると、ＣＰＵ８７によって図１１のフローチャートに示す印刷処理が実行される。
【００７４】
まず、ＣＰＵ８７は、パーソナルコンピュータ８１の表示装置８４に図１２又は図１３に示す応用設定画面Ｐ６０を表示させるプリンタ設定表示処理Ｓ１０を実行する。
【００７５】
応用設定画面Ｐ６０には、ユーザが両面印刷モードを設定するか否かを指示するための両面印刷チェックボックスＰ６１と、用紙３に表裏の区別があるか否かを指示するための表裏チェックボックスＰ６２と、これら両チェックボックスＰ６１、Ｐ６２の下方に、用紙３の綴じ方を指定する複数の綴じ方チェックボックスＰ６３とが表示されている。また、応用設定画面Ｐ６０の下部には、ＯＫボタンＰ６４、キャンセルボタンＰ６５、及び、ヘルプボタンＰ６６が表示されている。
【００７６】
ユーザは、所望するモードで印刷を行うために、各チェックボックスＰ６１、Ｐ６２及びＰ６３のうちから所定のものを選択した後、ＯＫボタンＰ６４を選択する。すると、ＣＰＵ８７は、片面印刷モードが選択されたか、又は、両面印刷モードが選択されたかを認識する第１認識処理を実行し（Ｓ１１）、片面印刷モードが選択されたと認識した場合には（Ｓ１１：Ｎ）、片面印刷処理を実行する（Ｓ１５）。この片面印刷処理では、上述したように、ＣＰＵ８７は印刷対象の画像データを昇順に並び替えてレーザプリンタ１に送信し、レーザプリンタ１に、用紙３の表面７６に印刷対象の画像データを印刷させる。片面印刷処理が終了すると、印刷に関する処理は終了する。
【００７７】
一方、両面印刷モードが選択されたと認識した場合には（Ｓ１１：Ｙ）、用紙３に表裏の区別があるか否か、を認識する表裏認識処理を実行する（Ｓ１２）。用紙３に表裏の区別があると認識した場合には、（Ｓ１２：Ｙ）、用紙３に表裏の区別がある場合の両面印刷処理を実行する（Ｓ１３）。また、用紙３に表裏の区別がないと認識した場合には（Ｓ１２：Ｎ）、用紙３に表裏の区別がない場合の両面印刷処理を実行する（Ｓ１４）。
【００７８】
（表裏の区別がある場合の両面印刷処理）
図１４に、Ｓ１３にて実行される、用紙３に表裏の区別がある場合の両面印刷処理の詳細を示す。まず、ＣＰＵ８７は、プリンタドライバを制御するプログラムから、印刷対象ファイルのページ情報を取得する（Ｓ２０）。このページ情報には、印刷するページ数ｎの情報が含まれ、この情報に基づいて、実際に使用される用紙３の枚数｛（ｎ＋１）／２の整数部分｝が算出される。
【００７９】
次に、図１２の応用設定画面Ｐ６０に示すように用紙３の長辺を綴じるための印刷が行われる場合（Ｓ２１：Ｙ）、または、用紙３の短辺を綴じ且つ奇数ページと偶数ページとに印刷される画像の天地を揃えるための印刷が行われる場合（Ｓ２１：Ｎで、Ｓ２４：Ｎ）には、Ｓ２２において、ＣＰＵ８７は、図１６に示すように、第１指示画面Ｐ１０を表示装置８４に表示させる後述する第１表示処理Ａを実行する。
【００８０】
ここで、例えば、用紙３の長辺を綴じるための印刷が行われる場合、図８に示すように、用紙３の表面７６及び裏面７７の双方に、用紙３の天地方向（図８における上下方向）に対して正立した画像を形成させる。この場合、上述したように、まず、１回目の印刷において、用紙３の裏面７７に、用紙３の天側に対して正立する方向で、印刷対象画像の偶数ページを降順に並び替えて、レーザプリンタ１に印刷させる。
【００８１】
このときユーザは、用紙カセット６に用紙３を載置する場合には、図９に示すように、用紙３の表面７６が上を向くようにし、且つ、用紙３の天側が前側（用紙３の搬送方向上流側）に位置するようにして、用紙３を載置しなければならない。これは、片面印刷モードにおいて用紙カセット６に用紙３を載置する際の用紙３の面の向きとは異なっている（図６参照）。
【００８２】
一方、ユーザは、ＭＰトレイ７に用紙３を載置する場合には、図１５に示すように、用紙３の表面７６が下を向くようにし、且つ、用紙３の天側が後側（用紙３の搬送方向上流側）に位置するようにして、用紙３を載置しなければならない。これも、片面印刷モードにおいてＭＰトレイ７に用紙３を載置する際の用紙３の面の向きとは異なっている（図７参照）。しかも、天地の向きに関しては、用紙カセット６に用紙３を載置する場合と、用紙３の搬送方向に対する向きが反対になっており、且つ、用紙の表裏の向きについても、用紙カセット６の場合と反対になっている（図９参照）。
【００８３】
このとき、ユーザは、用紙３の表面７６に印刷されたロゴ７５を指標にしながら、用紙３の裏面７７に印刷される画像の向きを考慮して、用紙カセット６又はＭＰトレイ７に用紙３を載置しなければならず、煩わしい。
【００８４】
上記の点に鑑み、本実施形態においては、図１４に示すように、Ｓ２２において、ＣＰＵ８７は、第１指示画面Ｐ１０を表示装置８４に表示させる第１表示処理Ａを実行する（図１６参照）。第１指示画面Ｐ１０は、図１６に示すように、用紙カセット６及びＭＰトレイ７への用紙３の載置方法についてユーザに指示するようになっている。
【００８５】
第１指示画面Ｐ１０の上部には、上述の用紙３の載置方法について文字で指示するダイアログ表示部Ｐ１１が表示されている。このダイアログ表示部Ｐ１１には、
（ａ）用紙３をセットする枚数
（ｂ）用紙３の搬送方向に対する、用紙３の天側の向き
（ｃ）用紙３の表面の向き
（ｄ）用紙カセット６及びＭＰトレイ７への用紙３の載置方法
が表示されている。具体的には、
「用紙７枚を下記の様にセットしてください（（ａ）に対応）。カセットの場合は（（ｄ）に対応）、用紙上部を手前（（ｂ）に対応）、表面を上にしてください（（ｃ）に対応）。ＭＰの場合は逆にしてください（（ｄ）に対応）。」と表示されている。
【００８６】
また、ダイアログ表示部Ｐ１１の下方には、用紙カセット６への用紙３の載置方法を画像で指示する用紙カセット指示画面Ｐ１２と、ＭＰトレイ７への用紙３の載置方法を画像で指示するＭＰトレイ指示画面Ｐ１３が並んで表示されている。図中、左側には用紙カセット指示画面Ｐ１２が表示されており、右側はＭＰトレイ指示画面Ｐ１３が表示されている。
【００８７】
用紙カセット指示画面Ｐ１２には、レーザプリンタ１の模式的な外観斜視図が表示されている。この用紙カセット指示画面Ｐ１２では、用紙カセット６が前方に引き出された状態になっている。用紙３の表面には、その上部（天側）に、例えば会社名を記載したロゴＰ１６が表示されている。用紙カセット指示画面Ｐ１２では、このロゴＰ１６が、上を向くように（用紙３の表面が上を向くように）、且つ、ロゴＰ１６が用紙３の搬送方向に対して下流側に位置するように（用紙３の天側が用紙カセット６の手前側になるように）表示されている。
【００８８】
一方、ＭＰトレイ指示画面Ｐ１３には、ＭＰトレイ７が開いた状態になっている。ＭＰトレイ指示画面Ｐ１３では、ロゴＰ１６が、下を向くように（用紙３の表面が下を向くように）、且つ、ロゴＰ１６が用紙３の搬送方向に対して上流側に位置するように（用紙３の天側がＭＰトレイ７の奥側となるように）表示されている。
【００８９】
このように、ユーザは、第１指示画面Ｐ１０を見ることにより、ダイアログ表示部Ｐ１１からは文字情報によって用紙３の載置方法を指示され、且つ、用紙カセット指示画面Ｐ１２及びＭＰトレイ指示画面Ｐ１３からは画像情報によって用紙３の載置方法を指示されるようになっている。これにより、用紙３を用紙カセット６又はＭＰトレイ７に容易に載置することができる。
【００９０】
両指示画面Ｐ１２、Ｐ１３の下方には、１回目の印刷処理を実行させるためのＯＫボタンＰ１４と、印刷処理を中止させるためのキャンセルボタンＰ１５が左右に並んで表示されている。
【００９１】
ユーザは、図１４において、Ｓ２０で算出された枚数の用紙３を用紙カセット６又はＭＰトレイ７に載置すると、第１表示画面Ｐ１０のＯＫボタンＰ１４を選択する。すると、Ｓ２３で「ＯＫ」となり、ＣＰＵ８７は偶数ページ降順印刷処理（Ｓ２６）を実行する。尚、用紙３に表裏の区別がある場合の両面印刷処理を行うために用紙３を用紙カセット６またはＭＰトレイ７に載置する場合、元々片面印刷のために載置された用紙３の余りを使用する場合には、載置された用紙３のうち、Ｓ２０で算出された枚数の用紙３を裏返して、図１６に示すように載置することとなる。
【００９２】
Ｓ２６では、ＣＰＵ８７は、用紙３の裏面７７に、印刷対象の画像ファイルのうち偶数ページを降順（…、６、４、２）に並び替えて、レーザプリンタ１に印刷させる。
【００９３】
Ｓ２６が終了した後、用紙３の長辺を綴じるための印刷を行う場合（Ｓ２７：Ｙ）、または用紙３の短辺を綴じ且つ奇数ページと偶数ページとに印刷される画像の天地を揃えるための印刷を行う場合（Ｓ２７：Ｎで、Ｓ２９：Ｎ）には、ユーザは、排紙トレイ４に積載された、裏面７７に偶数ページが印刷された用紙３を、ＭＰトレイ７に再セットする。このとき、図１０に示すように、用紙３の表面に正立画像を形成するためには、ＭＰトレイ７に用紙３の表面７６が上を向くようにし、且つ、用紙３の天側が後側（用紙３の搬送方向上流側）を向くようにして載置しなければならない。
【００９４】
そこで、Ｓ２６が終了した後、ＣＰＵ８７は、図１４に示すように、Ｓ２８において、再セット指示画面Ｐ３０を表示装置８４に表示させる再セット表示処理Ａを実行する（図１７参照）。
【００９５】
再セット指示画面Ｐ３０は、図１７に示すように、ＭＰトレイ７への用紙３の載置方法についてユーザに指示するようになっている。再セット指示画面Ｐ３０の上部には、上述の用紙３の載置方法について指示するダイアログ表示部Ｐ３１が表示されている。具体的には、
「偶数ページが印刷された後に、下図に従ってＭＰトレイに印刷済みの紙を再セットしてください。奇数ページを印刷するために、ＯＫをクリックしてください。」と表示されている。
【００９６】
また、ダイアログ表示部Ｐ３１の下方には、ＭＰトレイ７への用紙３の載置方法を画像で指示するＭＰトレイ指示画面Ｐ３２が表示されている。具体的には、
（ｐ）用紙３の印刷済み面を下向きに再セットすること。
（ｑ）用紙３をその短辺側からレーザプリンタ１に挿入する場合には、既に印刷された画像の天側が、ＭＰトレイの奥側（用紙３の搬送方向に対して上流側）を向く姿勢で再セットすること。
（ｒ）用紙３をその長辺側からレーザプリンタ１に挿入する場合には、既に印刷された画像の右側が、ＭＰトレイの奥側（用紙３の搬送方向に対して上流側）を向く姿勢で再セットすること。
が表示されている。
【００９７】
ユーザは、再セット指示画面Ｐ３０を見ることにより、用紙３をＭＰトレイ７に容易に載置することができる。
【００９８】
ＭＰトレイ指示画面Ｐ３２の下方には、２回目の印刷処理を実行させるためのＯＫボタンＰ３３と、印刷処理を中止させるためのキャンセルボタンＰ３４が左右に並んで表示されている。
【００９９】
ユーザは、用紙３をＭＰトレイ７に載置すると、再セット指示画面Ｐ３０のＯＫボタンＰ３３を選択する。すると、図１４に示すＳ３１で「ＯＫ」となり、ＣＰＵ８７は奇数ページ昇順印刷処理（Ｓ３２）を実行する。
【０１００】
Ｓ３２の奇数ページ昇順印刷処理では、ＣＰＵ８７は、既に偶数ページが印刷された用紙３の表面７６に対して、印刷対象の画像ファイルのうち奇数ページを昇順（１、３、５、…）に並び替えて、レーザプリンタ１に印刷させる。Ｓ３２が終了すると、用紙３を排紙トレイ４に排出させ、印刷に関する処理は終了する。
【０１０１】
一方、図１４において、用紙３の短辺を綴じる場合であって（Ｓ２１：Ｎ）、且つ、用紙３の表面７６と裏面７７とで印刷対象画像の天地を反転させる場合（Ｓ２４：Ｙ）、即ち、図１３の応用設定画面Ｐ６０に示すように用紙３を綴じるための印刷が行われる場合には、Ｓ２５において、ＣＰＵ８７は、図２１に示すように、第２指示画面Ｐ２０を表示装置８４に表示させる後述する第１表示処理Ｂを実行する。
【０１０２】
この場合、図１８に示すように、用紙３の表面７６には、用紙３の天地方向（図の上下方向）に対して正立した画像を印刷し、一方、裏面７７には倒立した画像を形成する。
【０１０３】
上述したように、ＣＰＵ８７は、まず、１回目の印刷において、用紙３の裏面７７に、用紙３の天側に対して倒立する方向で、印刷対象画像の偶数ページを降順に並び替えて、レーザプリンタ１に印刷させる。
【０１０４】
このときユーザは、用紙カセット６に用紙３を載置する場合には、図１９に示すように、用紙３の表面７６が上を向くようにし、且つ、用紙３の天側が後側（用紙３の搬送方向下流側）に位置するようにして、用紙３を載置しなければならない。これは、片面印刷モードにおいて用紙カセット６に用紙３を載置する際の用紙３の面の向きとは異なっている（図６参照）。しかも、用紙３の天側の向きも、片面印刷モードの場合と異なっている（図６参照）。
【０１０５】
一方、ユーザは、ＭＰトレイ７に用紙３を載置する場合には、図２０に示すように、用紙３の表面７６が下を向くようにし、且つ、用紙３の天側が、前側（用紙３の搬送方向下流側）に位置するようにして、用紙３を載置しなければならない。これも、片面印刷モードにおいてＭＰトレイ７に用紙３を載置する際の用紙３の面の向きとは異なっている（図７参照）。しかも、天地の向きに関しては、用紙カセット６に用紙３を載置する場合と、前後方向が反対になっており、且つ、用紙表裏の向きについても、用紙カセット６の場合と異なっている（図１９参照）。その上、用紙３の天側の向きについても、片面印刷モードの場合と異なっている（図７参照）。
【０１０６】
このとき、ユーザは、上記と同様に、用紙３の表面７６に印刷されたロゴ７５を指標にしながら、用紙３の裏面７７に印刷される画像の向き考慮して、用紙カセット６又はＭＰトレイ７に用紙３を載置しなければならず、煩わしい。
【０１０７】
上記の点に鑑み、本実施形態においては、図１４に示すように、Ｓ２５において、ＣＰＵ８７は、第１指示画面Ｐ２０を表示装置８４に表示させる第１表示処理Ｂを実行する（図２１参照）。第１指示画面Ｐ２０は、図２１に示すように、用紙カセット６及びＭＰトレイ７への用紙３の載置方法についてユーザに指示するようになっている。この第１指示画面Ｐ２０は、用紙３の載置方法以外は上述した第１指示画面Ｐ１０と略同一なので、同一部分には同一符号を付して重複する説明を省略する。
【０１０８】
ダイアログ表示部Ｐ１１には、
「用紙７枚を下記の様にセットしてください（（ａ）に対応）。カセットの場合は（（ｄ）に対応）、用紙上部を奥（（ｂ）に対応）、表面を上にしてください（（ｃ）に対応）。ＭＰの場合は逆にしてください（（ｄ）に対応）。」と表示されている。
【０１０９】
用紙カセット指示画面Ｐ１２には、ロゴＰ１６が、上を向くように（用紙３の表面が上を向くように）、且つ、ロゴＰ１６が用紙３の搬送方向に対して上流側に位置するように（用紙３の天側が用紙カセット６の奥側になるように）表示されている。
【０１１０】
ＭＰトレイ指示画面Ｐ１３には、ロゴＰ１６が、下を向くように（用紙３の表面が下を向くように）、且つ、ロゴＰ１６が用紙３の搬送方向に対して下流側に位置するように（用紙３の天側がＭＰトレイ７の手前側となるように）表示されている。
【０１１１】
ユーザは、第１指示画面Ｐ２０を見て、その指示に従うことにより、用紙３を用紙カセット６又はＭＰトレイ７に容易に載置することができる。
【０１１２】
ユーザは、図１４において、所定枚数の用紙３を用紙カセット６又はＭＰトレイ７に載置して、第１表示画面Ｐ２０のＯＫボタンＰ１４を選択する（Ｓ２３：ＯＫ）。すると、ＣＰＵ８７は偶数ページ降順印刷処理（Ｓ２６）を実行する。
【０１１３】
Ｓ２６の偶数ページ降順印刷処理が終了した後、用紙３の短辺を綴じ且つ用紙３の表面７６と裏面７７とで印刷対象画像の天地を反転させるための印刷を行う場合（Ｓ２７：Ｎで、Ｓ２９：Ｙ）、ユーザは、排紙トレイ４に積載された、裏面７７に偶数ページが印刷された用紙３を、ＭＰトレイ７に再セットする。
【０１１４】
このとき、用紙３は、図１０に示すような姿勢で、ＭＰトレイ７に載置しなければならない。しかし、図１８に示すように、用紙３の裏面７７には、用紙３の天地方向に対して倒立した画像が印刷されている。一方、２回目の印刷において用紙３の表面７６にはその天地方向に対して正立した画像を印刷しなければならない。このため、ユーザは、用紙３の裏面７７に印刷された画像を指標として用紙３をＭＰトレイ７に載置しようとすると、混乱しやすい。
【０１１５】
上記の点に鑑み本実施形態においては、図１４に示すように、Ｓ３０において、再セット指示画面Ｐ４０を表示装置８４に表示させる再セット表示処理Ｂを実行する（図２２参照）。再セット指示画面Ｐ４０は、図２２に示すように、ＭＰトレイ７への用紙３の載置方法についてユーザに指示するようになっている。この再セット指示画面Ｐ４０は、用紙３の載置方法以外は上述した再セット指示画面Ｐ３０と略同一なので、同一部分には同一符号を付して重複する説明を省略する。
【０１１６】
図２２に示すように、ＭＰトレイ指示画面Ｐ３２には、用紙３のＭＰトレイ７への載置方法が図示されている。具体的には、
（ｓ）用紙３の印刷済み面を下向きに再セットすること。
（ｔ）用紙３をその短辺側からレーザプリンタ１に挿入する場合には、既に印刷された画像の天側が、ＭＰトレイの手前側（用紙３の搬送方向に対して下流側）を向く姿勢で再セットすること。
（ｕ）用紙３をその長辺側からレーザプリンタ１に挿入する場合には、既に印刷された画像の左側が、ＭＰトレイの奥側（用紙３の搬送方向に対して上流側）を向く姿勢で再セットすること。
が、表示されている。
【０１１７】
ユーザは、用紙３をＭＰトレイ７に載置すると、再セット指示画面Ｐ４０のＯＫボタンＰ３３を選択する。すると、図１４に示すＳ３１で「ＯＫ」となり、ＣＰＵ８７は奇数ページ昇順印刷処理（Ｓ３２）を実行する。
【０１１８】
Ｓ３２が終了すると、用紙３を排紙トレイ４に排出させ、印刷に関する処理は終了する。
【０１１９】
（表裏の区別がない場合の両面印刷処理）
図２３に、図１１に示す印刷処理において実行される表裏なし両面印刷処理（Ｓ１４）の詳細を示す。尚、図１４に示す表裏あり両面印刷処理と同一のステップを踏む部分には同一符号を付して重複する説明を省略する。まず、ＣＰＵ８７は、表示装置８４に給紙指示画面Ｐ５０を表示させる給紙表示処理Ｓ４０を実行する（図２４参照）。給紙指示画面Ｐ５０は、図２４に示すように、用紙カセット６及びＭＰトレイ７へ用紙３を載置するようにユーザに指示するようになっている。給紙指示画面Ｐ５０の上部には、用紙３を用紙カセット６及びＭＰトレイ７へ載置するよう文字で指示するダイアログ表示部Ｐ５１が表示されている。このダイアログ表示部Ｐ５１には「用紙をセットしてください」と表示されている。
【０１２０】
また、ダイアログ表示部Ｐ５１の下方には、用紙カセット６への用紙３の載置方法を画像で指示する用紙カセット指示画面Ｐ５２と、ＭＰトレイ７への用紙３の載置方法を画像で指示するＭＰトレイ指示画面Ｐ５３が表示されている。図２４において、左側には用紙カセット指示画面Ｐ５２が表示されており、右側にはＭＰトレイ指示画面Ｐ５３が表示されている。用紙カセット指示画面Ｐ５２及びＭＰトレイ指示画面Ｐ５３の下方には、印刷対象画像の偶数ページの印刷処理を実行させるためのＯＫボタンＰ５４と、印刷対象画像の偶数ページの印刷処理を中止させるためのキャンセルボタンＰ５５が左右に並んで表示されている。
【０１２１】
用紙カセット指示画面Ｐ５２には、レーザプリンタ１の模式的な外観斜視図が表示されている。この用紙カセット指示画面Ｐ５２では、用紙カセット６が前方に引き出された状態になっており、この用紙カセット６に用紙３を載置する指示が表示されている。
【０１２２】
ＭＰトレイ指示画面Ｐ５３には、ＭＰトレイ７が開いた状態になっており、このＭＰトレイ７に用紙３を載置する指示が表示されている。
【０１２３】
図１１の印刷処理における、用紙３に対して表裏の区別をするか否かを判断するステップ（Ｓ１２）で、ユーザは用紙３に対して表裏の区別をしないと判断したので（Ｓ１２：Ｎ）、ユーザは１回目の印刷時において、用紙カセット６又はＭＰトレイ７に用紙３を載置する際に、用紙３の面の向きを考慮しなくてもよい。このため、給紙指示画面Ｐ５０には用紙３の面の向きに関する指示は表示されていない。
【０１２４】
ユーザは、用紙３を用紙カセット６又はＭＰトレイ７に載置すると、給紙指示画面Ｐ５０のＯＫボタンＰ５４を選択する。すると、Ｓ４１で「ＯＫ」となり、ＣＰＵ８７は偶数ページ降順印刷処理（Ｓ２６）以降を実行する。
【０１２５】
５．  本実施形態の効果
本実施形態によれば、ユーザは表示装置８４に表示された第１指示画面Ｐ１０又はＰ２０により、最初に画像を形成すべき用紙３の面の向きを知ることができる。これにより、ユーザは、用紙３の画像を形成すべき面をどちら側に向けて載置すればよいかを自分で考慮しなくてもよいから、用紙カセット６又はＭＰトレイ７への用紙３の載置作業を容易に行うことができる。
【０１２６】
また、例えば、会社のロゴ７５が用紙３の上部（天側）に印刷されている用紙３に画像を形成する場合、用紙３の搬送方向に対してロゴ７５をどちら側に位置させて載置すれば、ロゴ７５に対して所望の画像が形成されるかを、ユーザが考慮する必要がある。
【０１２７】
上記の点に鑑み本実施形態においては、ユーザは第１指示画面Ｐ１０又はＰ２０に表示された、用紙３の搬送方向に対する用紙３の向きに従って用紙カセット６又はＭＰトレイ７に用紙３を載置すればよいので、ユーザの負担を軽減できる。
【０１２８】
また、上述したように用紙３の片面にのみ画像が形成される場合、用紙３の画像形成面（表面７６）には、印刷対象画像の１ページから順に、２、３、…と画像が形成される。一方、最初に印刷対象画像の偶数ページから画像が形成される場合には、用紙３の画像形成面（裏面７７）には、印刷対象画像の２ページから順に、４、６、…と画像が形成される。このため、最初に印刷対象の偶数ページから画像を形成する場合には、用紙３の面の向きを、用紙３の片面にのみ画像が形成される場合と反対に向けておく（裏返す）必要がある。
【０１２９】
この場合に、画像形成に必要な枚数よりも多くの用紙３を裏返すと、両面印刷が終了した後に、再び用紙３を裏返す必要があるので、煩わしい。一方、画像形成に必要な枚数よりも少ない用紙３を裏返した場合には、所望の面に画像が形成されない用紙３が混在することになる。このように、画像形成に必要な枚数を常に考慮することは、ユーザにとって負担である。
【０１３０】
本実施形態においては、ダイアログ表示部Ｐ１１において、予め算出された載置すべき用紙枚数｛（印刷対象画像の総ページ数＋１）／２｝の整数部分が表示される。そのため、ユーザは、表示された用紙枚数を確認して、その枚数分を載置すればよく、予め用紙枚数を予測したり、片面印刷のために既に元々載置されていた用紙３を裏返し、両面印刷後に残っている裏返しにされた用紙３を再び裏返したりする煩雑さから開放される。
【０１３１】
また、レーザプリンタ１には載置部として用紙カセット６とＭＰトレイ７とが設けられている。これら用紙カセット６及びＭＰトレイ７においては、画像を形成すべき用紙３の面をどちら側に向けて載置するかが異なる（図９及び図１５参照）。このため、ユーザは、画像を形成すべき用紙３の面をどちら側に向けて載置すべきか、混乱することが懸念される。
【０１３２】
上記の点を鑑み本実施形態においては、ユーザは、第１指示画面Ｐ１０又はＰ２０により、各載置部に、画像を形成すべき用紙３の面をどちら側に向けて載置すればいいかを容易に判断できる。これにより、ユーザが混乱することを防止できる。
また、本実施形態において、表裏の区別のない用紙３に両面印刷する場合、１回目の偶数ページの画像を印刷するために、用紙３の載置方法をダイアログ表示する必要がないため、ユーザに余分な手間をかけることを防止できる。
【０１３３】
＜実施形態２＞
次に、本発明の実施形態２を図２５ないし図２８を参照して説明する。本実施形態では、図１１における、用紙３に表裏の区別がある場合の両面印刷処理Ｓ１３の内容が実施形態１（図１４参照）と異なる。上記以外の構成については、実施形態１と略同じなので、図１４と同一部分には同一符号を付して重複する説明を省略する。
【０１３４】
図２５に、実施形態２における用紙３に表裏の区別がある場合の両面印刷処理（Ｓ１３）の詳細を示す。ＣＰＵ８７は、用紙３の長辺を綴じるための印刷が行われる場合（Ｓ２１：Ｙ）、または、用紙３の短辺を綴じ且つ奇数ページと偶数ページとに印刷される画像の天地を揃えるための印刷が行われる場合（Ｓ２１：Ｎで、Ｓ２４：Ｎ）には、Ｓ５０において、第１指示画面Ｐ７０を表示装置８４に表示させる第１表示処理Ｃを実行する（図２６参照）。第１指示画面Ｐ７０は、図２６に示すように、用紙カセット６及びＭＰトレイ７への用紙３の載置方法についてユーザに指示するようになっている。
【０１３５】
第１指示画面Ｐ７０の上部には、上述の用紙３の載置方法について文字で指示するダイアログ表示部Ｐ１１が表示されている。このダイアログ表示部Ｐ１１には、
（ｂ）用紙３の搬送方向に対する、用紙３の天側の向き
（ｃ）用紙３の表面の向き
（ｄ）用紙カセット６及びＭＰトレイ７への用紙３の載置方法
が表示される。具体的には、
「用紙を下記の様にセットしてください。カセットの場合は（（ｄ）に対応）、用紙上部を手前（（ｂ）に対応）、表面を上にしてください（（ｃ）に対応）。ＭＰの場合は逆にしてください（（ｄ）に対応）。」と表示されている。
【０１３６】
ユーザは、第１指示画面Ｐ７０を見ることにより、ダイアログ表示部Ｐ１１からは文字情報によって用紙３の載置方法を指示され、且つ、ダイアログ表示部Ｐ１１の下方に表示された用紙カセット指示画面Ｐ１２及びＭＰトレイ指示画面Ｐ１３からは画像情報によって用紙３の載置方法を指示されるようになっている。これにより、用紙３を用紙カセット６又はＭＰトレイ７に容易に載置することができる。
【０１３７】
両指示画面Ｐ１２、Ｐ１３の下方には、１回目の印刷処理を実行させるためのＯＫボタンＰ１４と、印刷処理を中止させるためのキャンセルボタンＰ１５が左右に並んで表示されている。
【０１３８】
ユーザは、用紙３を用紙カセット６又はＭＰトレイ７に載置すると、第１表示画面Ｐ７０のＯＫボタンＰ１４を選択する。すると、Ｓ５１で「ＯＫ」となり、ＣＰＵ８７は偶数ページ降順印刷処理（Ｓ２６）を実行する。尚、用紙３に表裏の区別がある場合の両面印刷処理を行うために用紙３を用紙カセット６またはＭＰトレイ７に載置する場合、元々片面印刷のために載置された用紙３の余りを使用する場合には、載置された用紙３を全て裏返して、図２６に示すように載置することとなる。
【０１３９】
Ｓ２６からＳ３２までは、実施形態１と同様の処理を行うので（図１４参照）、重複する説明を省略する。
【０１４０】
ＣＰＵ８７は、Ｓ３２において奇数ページ昇順印刷処理を実行すると、用紙３を排紙トレイ４に排出させる。
【０１４１】
本実施形態のように、１回目の印刷時に偶数ページから印刷する場合、元々片面印刷モードでの印刷に使用するために載置された用紙３の余りを使用する場合には、上述したように、ユーザは、用紙カセット６又はＭＰトレイ７に、用紙３の面を片面印刷モードの場合とは裏返しにして載置しなければならない。このため、用紙３の両面に画像が形成されたときに、用紙カセット６又はＭＰトレイ７に、裏返された用紙３が残存する場合がある。裏返された用紙３が残存した状態のまま、片面印刷モードで画像を形成すると、用紙３の表面７６に画像が形成されなくなることが懸念される。
【０１４２】
上記の点に鑑み、ＣＰＵ８７は、図２５のＳ５３において、表示装置８４に第２指示画面Ｐ７２を表示させる第２表示処理を実行する（図２７参照）。第２指示画面Ｐ７２は、図２７に示すように、用紙カセット６及びＭＰトレイ７に残った用紙３を更に裏返して、片面印刷モードにおける用紙３の載置方法に戻すよう、ユーザに指示するようになっている。
【０１４３】
第２指示画面Ｐ７２の上部には、上述の用紙３の載置方法について文字で指示するダイアログ表示部Ｐ１１が表示されている。このダイアログ表示部Ｐ１１には、
（ｂ）用紙３の搬送方向に対する、用紙３の天側の向き
（ｃ）用紙３の表面の向き
（ｄ）用紙カセット６及びＭＰトレイ７への用紙３の載置方法
（ｅ）用紙３を裏返すこと
が表示される。具体的には、
「用紙を下記の様に裏返してください（（ｅ）に対応）。カセットの場合は（（ｄ）に対応）、用紙上部を手前（（ｂ）に対応）、表面を下にしてください（（ｃ）に対応）。ＭＰの場合は逆にしてください（（ｄ）に対応）。」と表示されている。
【０１４４】
ユーザは、第２指示画面Ｐ７２を見ることにより、ダイアログ表示部Ｐ１１からは文字情報によって用紙３の載置方法を指示され、且つ、ダイアログ表示部Ｐ１１の下方に表示された用紙カセット指示画面Ｐ１２及びＭＰトレイ指示画面Ｐ１３からは画像情報によって用紙３の載置方法を指示されるようになっている。これにより、片面印刷モードにおける用紙３の載置方法に戻すように、用紙３を用紙カセット６又はＭＰトレイ７に容易に載置することができる。これにより、両面印刷モードの終了後に、片面印刷モードでの印刷を行った場合、使用したい面の裏面に画像が形成されることを防止できる。
【０１４５】
図２５における第２表示処理（Ｓ５３）によって第２指示画面Ｐ７２（図２７参照）が表示され、ユーザが、用紙カセット６又はＭＰトレイ７に残存する用紙３を裏返した後、用紙カセット指示画面Ｐ１２及びＭＰトレイ指示画面Ｐ１３の下方に表示されたＯＫボタンＰ１４を選択すると、印刷処理は終了する。
【０１４６】
一方、図２５において、用紙３の短辺を綴じる場合であって（Ｓ２１：Ｎ）、且つ、用紙３の表面７６と裏面７７とで印刷対象画像の天地を反転させる場合には（Ｓ２４：Ｙ）、Ｓ５２において、ＣＰＵ８７は、第１指示画面Ｐ７１を表示装置８４に表示させる第１表示処理Ｄを実行する（図２８参照）。第１指示画面Ｐ７１は、図２８に示すように、用紙カセット６及びＭＰトレイ７への用紙３の載置方法についてユーザに指示するようになっている。
【０１４７】
第１指示画面Ｐ７１の上部には、上述の用紙３の載置方法について文字で指示するダイアログ表示部Ｐ１１が表示されている。このダイアログ表示部Ｐ１１には、
（ｂ）用紙３の搬送方向に対する、用紙３の天側の向き
（ｃ）用紙３の表面の向き
（ｄ）用紙カセット６及びＭＰトレイ７への用紙３の載置方法
が表示される。具体的には、
「用紙を下記の様にセットしてください。カセットの場合は（（ｄ）に対応）、用紙上部を奥（（ｂ）に対応）、表面を上にしてください（（ｃ）に対応）。ＭＰの場合は逆にしてください（（ｄ）に対応）。」と表示されている。
【０１４８】
ユーザは、第１指示画面Ｐ７１を見ることにより、ダイアログ表示部Ｐ１１からは文字情報によって用紙３の載置方法を指示され、且つ、ダイアログ表示部Ｐ１１の下方に表示された用紙カセット指示画面Ｐ１２及びＭＰトレイ指示画面Ｐ１３からは画像情報によって用紙３の載置方法を指示されるようになっている。これにより、用紙３を用紙カセット６又はＭＰトレイ７に容易に載置することができる。
【０１４９】
ユーザは、用紙３を用紙カセット６又はＭＰトレイ７に載置すると、第１表示画面Ｐ７１のＯＫボタンＰ１４を選択する。すると、Ｓ５１で「ＯＫ」となり、ＣＰＵ８７は偶数ページ降順印刷処理（Ｓ２６）に進み、以後、Ｓ５３まで上記と同様の処理を実行する。
【０１５０】
本実施形態において、用紙３に表裏の区別がある場合の両面印刷処理を行うために用紙３を用紙カセット６またはＭＰトレイ７に載置する場合、元々片面印刷のために載置された用紙３の余りを使用する場合には、１回目の偶数ページの印刷の前に１回、２回目の奇数ページの印刷の後に１回、ユーザは用紙３を裏返すことになる。しかしながら、用紙カセット６またはＭＰトレイ７に載置されている全ての用紙３を裏返すので、必要枚数だけ用紙３を数えて裏返す、といった手間を省くことができる。このため、印刷ページ数が多い場合には、さらに有効となる。また、第１実施形態と同様に、用紙３を載置する際の用紙向きが指示されるために、用紙３の向きを考えて載置する、といった手間を省くことができる。
【０１５１】
＜実施形態３＞
図２９ないし図３６を参照して実施形態３を説明する。本実施形態では、図１１における、用紙３に表裏の区別がある場合の両面印刷処理Ｓ１３の内容が実施形態１（図１４参照）と異なる。上記以外の構成については、実施形態１と略同じなので、図１４と同一部分には同一符号を付して重複する説明を省略する。
【０１５２】
図２９に、実施形態３における用紙３に表裏の区別がある場合の両面印刷処理（Ｓ１３）の詳細を示す。まず、ＣＰＵ８７は、プリンタドライバを制御するプログラムから、印刷対象ファイルのページ情報を取得し、実際に使用される用紙３の枚数｛（ｎ＋１）／２の整数部分｝を算出する（Ｓ２０）。本実施形態においては、まず、１回目の印刷において、用紙３の表面７６に、用紙３の天側に正立する方向で、印刷対象画像の奇数ページを昇順に並び替えて、レーザプリンタ１に印刷させる。
【０１５３】
このときユーザは、用紙カセット６に用紙３を載置する際、図３０に示すように、用紙３の表面７６が下を向くようにし、且つ、用紙３の天側が前側（用紙３の搬送方向上流側）に位置するようにして、用紙３を載置しなければならない。これは、片面印刷モードにおいて用紙カセット６に用紙３を載置する際の用紙３の面の向き、及び用紙３の天地の方向と同じである（図６参照）。
【０１５４】
一方、ユーザは、ＭＰトレイ７に用紙３を載置する場合には、図３１に示すように、用紙３の表面７６が上を向くようにし、且つ、用紙３の天側が後側（用紙３の搬送方向上流側）に位置するようにして、用紙３を載置しなければならない。これは、片面印刷モードにおいてＭＰトレイ７に用紙３を載置する際の用紙３の面の向き、及び、用紙３の天地の方向と同じである（図７参照）。
【０１５５】
このため、ユーザは、１回目の印刷時において、用紙３を、片面印刷モードの場合と異ならせる（裏返す）必要がない。このような場合にまで、実施形態１のように、表示装置８４に第１指示画面Ｐ１０（図１６参照）、Ｐ２０（図２１参照）が表示されて、ユーザがその内容を確認しなければならないとなると、煩わしい。
【０１５６】
そこで本実施形態においては、図２９のＳ６０にて、ＣＰＵ８７は、表示装置８４に第１指示画面Ｐ１０、Ｐ２０を表示させない第２表示制御処理Ｓ６０を実行させる構成とした。これにより、第１指示画面Ｐ１０、Ｐ２０が表示されないので、ユーザは、第１指示画面Ｐ１０、Ｐ２０の確認を行わなくてもよい。この結果、レーザプリンタ１が、１回目の印刷において、用紙３の表面７６に印刷対象画像の奇数ページを昇順に並び替えて印刷させる構成となっている場合には、第１指示画面Ｐ１０、Ｐ２０を確認する手間を省くことができる。
【０１５７】
Ｓ６０の第２表示制御処理が終了すると、ＣＰＵ８７は、奇数ページ昇順印刷処理Ｓ６１を実行し、用紙３の表面７６に、印刷対象の画像ファイルのうち奇数ページを昇順（１、３、５、…）に並び替えて、レーザプリンタ１に印刷させる。
【０１５８】
Ｓ６１が終了した後、用紙３の長辺を綴じるための印刷が行われる場合（Ｓ２７：Ｙ）、または、用紙３の短辺を綴じ且つ奇数ページと偶数ページとに印刷される画像の天地を揃えるための印刷が行われる場合（Ｓ２１：Ｎで、Ｓ２４：Ｎ）に、ユーザは、排紙トレイ４に積載された、表面７６に奇数ページが印刷された用紙３を、ＭＰトレイ７に再セットする。このとき、図３２に示すように、用紙３の裏面７７に正立画像を形成するためには、ＭＰトレイ７に用紙３の表面７６が下を向くようにし、且つ、用紙３の天側が後側（用紙３の搬送方向上流側）を向くようにして載置しなければならない。
【０１５９】
そこで、Ｓ６１が終了した後、ＣＰＵ８７は、図２９における、Ｓ６２において、再セット指示画面Ｐ８０を表示装置８４に表示させる再セット表示処理Ｃを実行する（図３３参照）。
【０１６０】
再セット指示画面Ｐ８０は、図３３に示すように、ＭＰトレイ７への用紙３の載置方法についてユーザに指示するようになっている。再セット指示画面Ｐ８０の上部には、上述の用紙３の載置方法について指示するダイアログ表示部Ｐ８１が表示されている。このダイアログ表示部Ｐ８１には、
「奇数ページが印刷された後に、下図に従ってＭＰトレイに印刷済みの紙を再セットしてください。偶数ページを印刷するために、ＯＫをクリックしてください。」と表示されている。
【０１６１】
また、ダイアログ表示部Ｐ８１の下方には、ＭＰトレイ７への用紙３の載置方法を画像で指示するＭＰトレイ指示画面Ｐ８２が表示されている。具体的には、
（ｓ）用紙３の印刷済み面を下向きに再セットすること。
（ｔ）用紙３をその短辺側からレーザプリンタ１に挿入する場合には、既に印刷された画像の天側が、ＭＰトレイの奥側（用紙３の搬送方向に対して上流側）を向く姿勢で再セットすること。
（ｕ）用紙３をその長辺側からレーザプリンタ１に挿入する場合には、既に印刷された画像の右側が、ＭＰトレイの奥側（用紙３の搬送方向に対して上流側）を向く姿勢で再セットすること。
が、表示されている。
【０１６２】
ユーザは、再セット指示画面Ｐ８０を見ることにより、用紙３をＭＰトレイ７に容易に載置することができる。
【０１６３】
ＭＰトレイ指示画面Ｐ８２の下方には、２回目の印刷処理を実行させるためのＯＫボタンＰ３３と、印刷処理を中止させるためのキャンセルボタンＰ３４が左右に並んで表示されている。
【０１６４】
図２９の再セット表示処理Ｃ（Ｓ６２）により表示された再セット指示画面Ｐ８０に基づいて、ユーザが用紙３をＭＰトレイ７に載置し、再セット指示画面Ｐ８０のＯＫボタンＰ３３を選択する。すると、Ｓ６３で「ＯＫ」となり、ＣＰＵ８７は偶数ページ降順印刷処理（Ｓ６４）を実行する。
【０１６５】
Ｓ６４では、ＣＰＵ８７は、既に奇数ページが表面７６に印刷された用紙３の裏面７７に対して、印刷対象の画像ファイルのうち偶数ページを降順（…、６、４、２）に並び替えて、レーザプリンタ１に印刷させる。Ｓ６４が終了すると、用紙３を排紙トレイ４に排出させる。
【０１６６】
図３２に示すように、排紙トレイ４には、両面に画像が形成された用紙３が積載される。このとき排紙トレイ４に積載された用紙３の最上部には、１ページ目の画像が印刷された面を上に向けた姿勢で、用紙３が積載される。これは、片面印刷モードにおいて、印刷終了後に排紙トレイ４に積載された用紙３の、１ページ目の画像が印刷された面の向きとは異なっている（図６、７参照）。
【０１６７】
このため、例えば、片面印刷モードで印刷した用紙３と、両面印刷モードで印刷した用紙３とをまとめて綴じようとする場合、ページの並び順を揃えるためには、ユーザは両面印刷モードで印刷され排紙トレイ４に排紙された用紙３を裏返す必要がある。
【０１６８】
このとき、排紙トレイ４に積載された用紙３から両面印刷モードで印刷された用紙３のみを、１枚ずつ確認しながら裏返すのは煩わしい。また、両面印刷モードで印刷される枚数を、ユーザは常に認識して記憶しておなければならないとすると、これもユーザにとっては負担である。
【０１６９】
そこで、本実施形態においては、図２９に示すように、Ｓ６５において、ＣＰＵ８７は、第３指示画面Ｐ９０を表示装置８４に表示させる第３表示処理を実行する（図３４参照）。第３指示画面Ｐ９０は、図３４に示すように、排紙トレイ４に積載された用紙３を裏返すよう、ユーザに指示するようになっている。
【０１７０】
第３指示画面Ｐ９０の上部には、用紙３を裏返すよう指示するダイアログ表示部Ｐ９１が表示されている。このダイアログ表示部Ｐ９１には、
（ｖ）用紙３を何枚裏返すか。
（ｗ）用紙３のどの面をどちらに向けるか。
が表示される。具体的には、
「印刷済みの用紙７枚を下記のように裏返してください（（ｖ）に対応）。奇数ページを下にして下さい（（ｗ）に対応）。」と表示されている。
【０１７１】
また、ダイアログ表示部Ｐ９１の下方には、用紙３を裏返すことを画像で指示する排紙トレイ指示画面Ｐ９２が表示されている。具体的には、「用紙３の奇数ページを下向きにして排紙トレイ４に載置すること」、が表示されている。
【０１７２】
ユーザは、第３指示画面Ｐ９０を見ることにより、用紙３のページの並び順を、片面印刷モードで印刷された用紙３のページの並び順と、両面印刷モードで印刷された用紙３のページの並び順とを、容易に同じにすることができる。また、ユーザは、両面印刷モードで印刷される枚数を、認識し、記憶する必要もないので、ユーザの負担を軽減できる。
【０１７３】
排紙トレイ指示画面Ｐ９２の下方には、ＯＫボタンＰ９３が表示されている。ユーザが所定枚数の用紙３を裏返して、第３指示画面Ｐ９０のＯＫボタンＰ９３を選択すると、図２９の第３表示処理を終了し、印刷処理が終了する。
【０１７４】
また、図２９において、用紙３の短辺を綴じる場合であって（Ｓ２７：Ｎ）、且つ、用紙３の表面７６と裏面７７とで印刷対象画像の天地を反転させる場合には（Ｓ２９：Ｙ）、ユーザは、用紙３を、図３５に示すような姿勢で、ＭＰトレイ７に載置しなければならない。しかし、図１８に示すように、用紙３の表面７６には、用紙３の天地方向に対して正立した画像が印刷されている一方、２回目の印刷において用紙３の裏面７７にはその天地方向に対して倒立した画像を印刷しなければならない。このため、ユーザは、用紙３の表面７６に印刷されたロゴ７５を指標として、裏面７７に倒立した画像が印刷されるように用紙３をＭＰトレイ７に載置しようとすると、混乱しやすい。
【０１７５】
上記の点に鑑み本実施形態では、図２９のＳ６６において、ＣＰＵ８７は、再セット指示画面Ｐ８３を表示装置８４に表示させる再セット表示処理Ｄを実行する（図３６参照）。再セット指示画面Ｐ８３は、図３６に示すように、ＭＰトレイ７への用紙３の載置方法についてユーザに指示するようになっている。この再セット指示画面Ｐ８３は、用紙３の載置方法以外は上述した再セット指示画面Ｐ８０（図３３参照）と略同一なので、同一部分には同一符号を付して重複する説明を省略する。
【０１７６】
図３６に示すように、ＭＰトレイ指示画面Ｐ８２には、用紙３のＭＰトレイ７への載置方法が図示されている。具体的には、
（ｓ）用紙３の印刷済み面を下向きに再セットすること。
（ｔ）用紙３をその短辺側からレーザプリンタ１に挿入する場合には、既に印刷された画像の天側が、ＭＰトレイの手前側（用紙３の搬送方向に対して下流側）を向く姿勢で再セットすること。
（ｕ）用紙３をその長辺側からレーザプリンタ１に挿入する場合には、既に印刷された画像の左側が、ＭＰトレイの奥側（用紙３の搬送方向に対して上流側）を向く姿勢で再セットすること。
が、表示されている。
【０１７７】
図２９の再セット表示処理Ｄ（Ｓ６６）により表示された再セット指示画面Ｐ８３に基づいて、ユーザが用紙３をＭＰトレイ７に載置し、再セット指示画面Ｐ８３のＯＫボタンＰ３３を選択する。すると、図２９のＳ６３で「ＯＫ」となり、ＣＰＵ８７は偶数ページ降順印刷処理（Ｓ６４）を実行する。Ｓ６４が終了すると、ＣＰＵ８７は用紙３を排紙トレイ４に排出させる。その後、ＣＰＵ８７は第３表示処理Ｓ６５を実行し、印刷に関する処理は終了する。
【０１７８】
＜実施形態４＞
図３７を参照して実施形態４を説明する。本実施形態では、図１１における、用紙３に表裏の区別がない場合の両面印刷処理Ｓ１４の内容が実施形態１（図２３参照）と異なる。上記以外の構成については、実施形態１と略同じなので、図２３と同一部分には同一符号を付して重複する説明を省略する。
【０１７９】
図１１の印刷処理における、用紙３に対して表裏の区別をするか否かを判断するステップ（Ｓ１２）で、ユーザは、用紙３に対して表裏の区別をしないと判断したので（Ｓ１２：Ｎ）、ユーザは１回目の印刷時において、用紙カセット６又はＭＰトレイ７に用紙３を載置する際に、用紙３の面の向きを考慮しなくてもよい。このような場合にまで、第１指示画面Ｐ１０、Ｐ２０が表示されて、ユーザがその内容を確認しなければならないとなると、煩わしい。
【０１８０】
そこで、本実施形態では、ＣＰＵ８７は、第１指示画面Ｐ１０、Ｐ２０を表示装置８４に表示させない第１表示制御処理Ｓ７０を実行する。これにより、ユーザは第１指示画面Ｐ１０、Ｐ２０を確認しなくてもよいので、ユーザの負担が軽減される。
【０１８１】
Ｓ７０が終了すると、ＣＰＵ８７は偶数ページ降順印刷処理Ｓ２６を実行する。このＳ２６からＳ３２までは、実施形態１と同じ処理なので、同じ処理については同一符号を付して、重複する説明を省略する（図２３参照）。
【０１８２】
＜実施形態５＞
図３８及び図３９を参照して実施形態５を説明する。図３８は、本発明の実施形態５に係るレーザプリンタ１の斜視図である。レーザプリンタ１の本体ケーシングには、図３８において左手前側に位置する側壁に、ユーザーインターフェース画面等を表示可能な表示部９８が設けられている。
【０１８３】
図３９は、本実施形態の画像形成システム８０を示すブロック図である。本実施形態においては、パーソナルコンピュータ８１のＣＰＵ８７は、レーザプリンタ１の表示部９８に、本発明の第１指示画面Ｐ１０、Ｐ２０等を表示させるようになっている。
【０１８４】
また、ユーザは、表示部９８に表示された第１指示画面Ｐ１０、Ｐ２０等の指示に対して、レーザプリンタ１の操作部９０を操作することで外部から情報を入力可能になっている。
【０１８５】
上記以外の構成は、実施形態１と略同じなので、同一部分については同一符号を付して重複する説明を省略する。
【０１８６】
本実施形態のように、パーソナルコンピュータ８１とレーザプリンタ１とがＬＡＮケーブル８２を介して接続されている場合には、パーソナルコンピュータ８１とレーザプリンタ１とが離れて設置されている場合がある。この場合に、パーソナルコンピュータ８１に接続された表示装置８４に第１指示画面Ｐ１０、Ｐ２０等を表示させる構成によると、ユーザは指示画面を確認するためにパーソナルコンピュータ８１が設置された場所までわざわざ移動しなければならず、煩わしい。
【０１８７】
上記の点を鑑み本実施形態では、ユーザは、レーザプリンタ１の表示部９８に表示されたＰ１０、Ｐ２０等を見ることができる構成になっている。これにより、ユーザは、わざわざパーソナルコンピュータ８１が設置された場所まで移動して指示画面を確認する必要がない。
【０１８８】
＜他の実施形態＞
本発明は上記記述及び図面によって説明した実施形態に限定されるものではなく、例えば次のような実施形態も本発明の技術的範囲に含まれる。
【０１８９】
（１）上記実施形態では、記憶媒体としてＵＳＢメモリ９７を例に挙げて説明したが、これに限らず、コンパクトフラッシュ（登録商標）、スマートメディア（登録商標）、メモリスティック（商標）などのメモリカードであってもよい。
【０１９０】
（２）本実施形態では、表裏の区別がある用紙３を用いたが、表裏の区別のない用紙３を用いてもよい。
【０１９１】
（３）本実施形態では、用紙３の天側にロゴ７５が印刷されていたが、用紙３の地側にロゴ７５が印刷されていてもよく、用紙３について天地の区別可能であるならば、ロゴ７５は任意の場所に印刷しうる。また、天地の区別をなしうるのであれば、ロゴ７５に限られず、任意の画像を形成してもよい。
【０１９２】
（４）本実施形態では、天地の区別がある用紙３を用いたが、天地の区別のない用紙３を用いてもよい。
【０１９３】
（５）本実施形態では、排紙トレイ４はレーザプリンタ１の上部に設けられる構成としたが、排紙トレイ４に加えて、レーザプリンタ１の本体ケーシング２に、排紙パス５２に臨む位置に開口を設け、この開口に連なる側部排紙トレイを設けてもよい。この側部排紙トレイに、１回目の印刷が終了した用紙３を積載し、２回目の印刷が終了した用紙３は排紙トレイ４に積載する構成としてもよい。また、１回目の印刷が終了した用紙３を排紙トレイ４に積載し、２回目の印刷が終了した用紙３は側部排紙トレイに積載する構成としてもよい。また、１回目の印刷が終了した用紙３と、２回目の印刷が終了した用紙３とを共に側部排紙トレイに積載する構成としてもよい。
【０１９４】
（６）本実施形態では、２回目の印刷時にＭＰトレイ７に用紙３を載置する構成としたが、２回目の印刷時に、用紙カセット６に用紙３を載置する構成としてもよい。
【０１９５】
（７）本実施形態では、用紙３の搬送方向に対して上流側に、印刷対象画像の天側を印刷する構成としたが、用紙３の搬送方向に対して下流側に、印刷対象画像の天側を印刷する構成としてもよい。
【０１９６】
（８）１回目の印刷時に印刷対象画像のページ数を降順に印刷してもよいし、また、昇順に印刷してもよい。そして、２回目の印刷により用紙３の両面に所望の画像を印刷可能であれば、２回目の印刷時に印刷対象画像のページ数を降順に印刷してもよいし、昇順に印刷してもよい。なお、２回目の印刷終了時に、排紙トレイ４に積載された用紙３のページ数が、上から、又は、下から数えて、「１、２、３、４、…」と並んだ状態になるように、２回目の印刷時における印刷対象画像の並び順を設定することが好ましい。
【０１９７】
（９）第２指示画面Ｐ７２は、図２５の奇数ページ昇順印刷処理Ｓ３２が終了した後に表示する構成としてもよいし、奇数ページ昇順印刷処理Ｓ３２を行っているときに表示する構成としてもよく、図２５のＳ３１で「ＯＫ」となった後であれば任意のときに表示してよい。
【０１９８】
（１０）第３指示画面Ｐ９０は、図２９の偶数ページ降順印刷処理Ｓ６４が終了した後に表示する構成としてもよいし、偶数ページ降順印刷処理Ｓ６４を行っているときに表示する構成としてもよく、図２９のＳ６３で「ＯＫ」となった後であれば任意のときに表示してよい。
【０１９９】
（１１）実施形態５では、パーソナルコンピュータ８１のＣＰＵ８７が、レーザプリンタ１の表示部９８に第１指示画面Ｐ１０、Ｐ２０等を表示させる構成としたが、これに限られず、レーザプリンタ１のＣＰＵ９４が、表示部９８に第１指示画面Ｐ１０、Ｐ２０等を表示させる構成としてもよい。この場合、表示制御プログラムは、レーザプリンタ１のＲＯＭ９２に格納されていてもよい。
【図面の簡単な説明】
【０２００】
【図１】本発明の実施形態１に係るレーザプリンタの要部側断面図
【図２】ＭＰトレイを開いた状態をレーザプリンタの要部側断面図
【図３】画像形成システムの全体構成を示すブロック図
【図４】用紙の表面及び裏面を示す平面図
【図５】片面印刷モードで印刷された用紙の表面を示す平面図
【図６】片面印刷モード時に、用紙カセットに給紙した場合における用紙の面の向きを示す模式図
【図７】片面印刷モード時に、ＭＰトレイに給紙した場合における用紙の面の向きを示す模式図
【図８】両面印刷モードにおいて、用紙の表裏で画像を天地反転させずに印刷した場合の、用紙の表面及び裏面を示す平面図
【図９】両面印刷モード時に、１回目の印刷時に用紙カセットに給紙した場合における用紙の面の向きを示す模式図
【図１０】両面印刷モード時に、２回目の印刷時にＭＰトレイに給紙した場合における用紙の面の向きを示す模式図
【図１１】印刷処理のフローチャート
【図１２】応用設定画面の一例
【図１３】応用設定画面の一例
【図１４】用紙に表裏の区別がある場合の両面印刷処理のフローチャート
【図１５】両面印刷モード時に、１回目の印刷時にＭＰトレイに給紙した場合における用紙の面の向きを示す模式図
【図１６】第１指示画面の一例
【図１７】再セット指示画面の一例
【図１８】両面印刷モードにおいて、用紙の表裏で画像を天地反転させて印刷した場合の、用紙の表面及び裏面を示す平面図
【図１９】両面印刷モード時に、１回目の印刷時に用紙カセットに給紙した場合における用紙の面の向きを示す模式図
【図２０】両面印刷モード時に、２回目の印刷時にＭＰトレイに給紙した場合における用紙の面の向きを示す模式図
【図２１】第１指示画面の一例
【図２２】再セット指示画面の一例
【図２３】用紙に表裏の区別がない場合の両面印刷処理のフローチャート
【図２４】給紙指示画面の一例
【図２５】実施形態２における、用紙に表裏の区別がある場合の両面印刷処理のフローチャート
【図２６】第１指示画面の一例
【図２７】第２指示画面の一例
【図２８】第１指示画面の一例
【図２９】実施形態３における、用紙に表裏の区別がある場合の両面印刷処理のフローチャート
【図３０】両面印刷モード時に、１回目の印刷時に用紙カセットに給紙した場合における用紙の面の向きを示す模式図
【図３１】両面印刷モード時に、１回目の印刷時にＭＰトレイに給紙した場合における用紙の面の向きを示す模式図
【図３２】両面印刷モード時に、２回目の印刷時にＭＰトレイに給紙した場合における用紙の面の向きを示す模式図
【図３３】再セット指示画面の一例
【図３４】第３指示画面の一例
【図３５】両面印刷モード時に、２回目の印刷時にＭＰトレイに給紙した場合における用紙の面の向きを示す模式図
【図３６】再セット指示画面の一例
【図３７】実施形態４における、用紙に表裏の区別がない場合の両面印刷処理のフローチャート
【図３８】実施形態５に係るレーザプリンタの全体斜視図
【図３９】画像形成システムの全体構成を示すブロック図
【符号の説明】
【０２０１】
１…レーザプリンタ（画像形成装置）
３…用紙（シート）
４…排紙トレイ（積載部）
６…用紙カセット（載置部）
７…ＭＰトレイ（載置部）
８４…表示装置
８７…ＣＰＵ（コンピュータ）
９８…表示部
【図１】
2008155475.tif 000003
【図２】
2008155475.tif 000004
【図３】
2008155475.tif 000005
【図４】
2008155475.tif 000006
【図５】
2008155475.tif 000007
【図６】
2008155475.tif 000008
【図７】
2008155475.tif 000009
【図８】
2008155475.tif 000010
【図９】
2008155475.tif 000011
【図１０】
2008155475.tif 000012
【図１１】
2008155475.tif 000013
【図１２】
2008155475.tif 000014
【図１３】
2008155475.tif 000015
【図１４】
2008155475.tif 000016
【図１５】
2008155475.tif 000017
【図１６】
2008155475.tif 000018
【図１７】
2008155475.tif 000019
【図１８】
2008155475.tif 000020
【図１９】
2008155475.tif 000021
【図２０】
2008155475.tif 000022
【図２１】
2008155475.tif 000023
【図２２】
2008155475.tif 000024
【図２３】
2008155475.tif 000025
【図２４】
2008155475.tif 000026
【図２５】
2008155475.tif 000027
【図２６】
2008155475.tif 000028
【図２７】
2008155475.tif 000029
【図２８】
2008155475.tif 000030
【図２９】
2008155475.tif 000031
【図３０】
2008155475.tif 000032
【図３１】
2008155475.tif 000033
【図３２】
2008155475.tif 000034
【図３３】
2008155475.tif 000035
【図３４】
2008155475.tif 000036
【図３５】
2008155475.tif 000037
【図３６】
2008155475.tif 000038
【図３７】
2008155475.tif 000039
【図３８】
2008155475.tif 000040
【図３９】
2008155475.tif 000041
【手続補正書】
【提出日】平成19年12月17日(2007.12.17)
【手続補正１】
【補正対象書類名】明細書
【補正対象項目名】全文
【補正方法】変更
【補正の内容】
【発明の詳細な説明】
【技術分野】
【０００１】
本発明は、表示制御プログラム及び画像形成装置に関する。
【背景技術】
【０００２】
例えば、用紙の両面に印刷を行う両面印刷ユニットを有しない画像形成装置において両面印刷を行うためには、次のようにして行うことができる。まず、用紙の一方の面に印刷を行う。次に、一方の面への印刷が終了して排紙トレイに排出された用紙を再び給紙トレイにセットし直して、今度は他方の面に印刷を行う。これにより用紙の両面に印刷することが可能となる。
【０００３】
しかしながら、一方の面への印刷が終了した用紙を給紙トレイにセットし直す際に、ユーザは、用紙の他方の面をどちら側に向けて載置すれば他方の面に印刷できるかを考慮しなければならず、この作業は煩わしいものとなっていた。
【０００４】
そこで、用紙の他方の面をどちら側に向けて載置すれば他方の面に印刷できるかを、表示装置に表示された画像によりユーザに表示することが考えられる（例えば、特許文献１参照）。これにより、一方の面への印刷が終了した用紙を給紙トレイにセットし直す際の煩わしさの軽減が期待される。
【特許文献１】特開平１１−２０２７２号公報
【発明の開示】
【発明が解決しようとする課題】
【０００５】
しかしながら、例えば一方の面にのみ企業のロゴが印刷された用紙のように、表裏の区別がある用紙に両面印刷するときには、給紙トレイに最初に用紙をセットするときから、用紙の面の向きを考慮しなければならない場合がある。すなわち、例えば、ロゴが印刷された面に奇数ページ（１、３、５、…）を印刷しようとした場合には、ロゴが印刷された面をどちら側に向けて給紙トレイに載置すればよいのかユーザが考慮しなければならず、煩わしい。
【０００６】
本発明は上記のような事情に基づいて完成されたものであって、ユーザがシートのセット作業を容易に行うことができる表示制御プログラム及び画像形成装置を提供することを目的とする。
【課題を解決するための手段】
【０００７】
上記の目的を達成するための手段として、請求項１の発明は、表示制御プログラムであって、画像形成装置と、表示装置とにアクセス可能なコンピュータに、前記画像形成装置にシートの一方の面に画像を形成させた後に他方の面に画像を形成させることで前記シートの両面に画像を形成させる両面印刷モードが要求された場合には、前記画像形成装置の載置部への前記シートの載置方法について、最初に画像を形成すべき前記シートの面の向きを表示する第１指示画面を前記表示装置に表示させる第１表示処理を実行させるものである。
【０００８】
請求項２の発明は、請求項１に記載の表示制御プログラムにおいて、前記コンピュータに、前記シートに最初に画像を形成すべき面が指定されなかった場合には、前記第１指示画面を表示しない第１表示制御処理を実行させるものである。
【０００９】
請求項３の発明は、請求項１または請求項２に記載の表示制御プログラムにおいて、前記第１指示画面には、前記シートの搬送方向に対する前記シートの向きが表示されているものである。
【００１０】
請求項４の発明は、請求項１ないし請求項３のいずれか１項に記載の表示制御プログラムにおいて、前記シートに、最初に、印刷対象画像の偶数ページから画像を形成させる場合には、前記第１指示画面には、前記両面印刷モードにおいて画像を形成させるために必要な前記シートの枚数が表示されているものである。
【００１１】
請求項５の発明は、請求項１ないし請求項４のいずれか１項に記載の表示制御プログラムにおいて、前記コンピュータに、前記シートに、最初に印刷対象画像の偶数ページから画像を形成させる場合には、前記載置部に載置された前記シートを裏返す指示をする第２指示画面を前記表示装置に表示させる第２表示処理を実行させるものである。
【００１２】
請求項６の発明は、請求項１ないし請求項５のいずれか１項に記載の表示制御プログラムにおいて、前記コンピュータに、前記シートに、最初に、印刷対象画像の奇数ページから画像を形成させる場合には、画像形成後に前記画像形成装置の積載部に積載される前記シートを裏返す指示をする第３指示画面を前記表示装置に表示させる第３表示処理を実行させるものである。
【００１３】
請求項７の発明は、請求項６に記載の表示制御プログラムにおいて、前記第３指示画面には、裏返すべき前記シートの枚数が表示されているものである。
【００１４】
請求項８の発明は、請求項１ないし請求項７のいずれか１項に記載の表示制御プログラムにおいて、前記画像形成装置には前記載置部が複数設けられており、前記第１指示画面には、前記各載置部への前記シートの載置方法が表示されているものである。
【００１５】
請求項９の発明は、請求項１ないし請求項８のいずれか１項に記載の表示制御プログラムにおいて、前記コンピュータに、最初に、印刷対象画像の奇数ページから画像を形成させる場合には、前記表示手段に前記第１指示画面を表示させない第２表示制御処理を実行させるものである。
【００１６】
請求項１０の発明は、表示部を備えた画像形成装置であって、前記画像形成装置にシートの一方の面に画像を形成させた後に他方の面に画像を形成させることで前記シートの両面に画像を形成させる両面印刷モードが要求された場合には、前記画像形成装置の載置部への前記シートの載置方法について、最初に画像を形成すべき前記シートの面の向きを表示する第１指示画面を前記表示部に表示する第１表示処理を実行する。
【００１７】
請求項１１の発明は、請求項１０に記載のものにおいて、前記シートに最初に画像を形成すべき面が指定されなかった場合には、前記第１指示画面を表示しない第１表示制御処理を実行する。
【００１８】
請求項１２の発明は、請求項１０または請求項１１に記載のものにおいて、前記第１指示画面には、前記シートの搬送方向に対する前記シートの向きが表示されている。
【００１９】
請求項１３の発明は、請求項１０ないし請求項１２のいずれか１項に記載のものにおいて、前記シートに、最初に、印刷対象画像の偶数ページから画像を形成させる場合には、前記第１指示画面には、前記両面印刷モードにおいて画像を形成させるために必要な前記シートの枚数が表示されている。
【００２０】
請求項１４の発明は、請求項１０ないし請求項１３のいずれか１項に記載のものにおいて、前記シートに、最初に印刷対象画像の偶数ページから画像を形成させる場合には、前記載置部に載置された前記シートを裏返す指示をする第２指示画面を前記表示部に表示する第２表示処理を実行する。
【００２１】
請求項１５の発明は、請求項１０ないし請求項１４のいずれか１項に記載のものにおいて、前記シートに、最初に、印刷対象画像の奇数ページから画像を形成させる場合には、画像形成後に前記画像形成装置の積載部に積載される前記シートを裏返す指示をする第３指示画面を前記表示部に表示する第３表示処理を実行する。
【００２２】
請求項１６の発明は、請求項１５に記載のものにおいて、前記第３指示画面には、裏返すべき前記シートの枚数が表示されている。
【００２３】
請求項１７の発明は、請求項１０ないし請求項１６のいずれか１項に記載の画像形成装置であって、前記載置部は複数設けられており、前記第１指示画面には、前記各載置部への前記シートの載置方法が表示されている。
【００２４】
請求項１８の発明は、請求項１０ないし請求項１７のいずれか１項に記載のものにおいて、最初に、印刷対象画像の奇数ページから画像を形成させる場合には、前記表示部に前記第１指示画面を表示しない第２表示制御処理を実行する。
【発明の効果】
【００２５】
＜請求項１の発明＞
請求項１の発明によれば、ユーザは表示装置に表示された第１指示画面により、最初に画像を形成すべきシートの面の向きを知ることができる。これにより、ユーザは、シートの画像を形成すべき面をどちら側に向けて載置すればよいかを自分で考慮しなくてもよいから、載置部へのシートの載置作業を容易に行うことができる。
【００２６】
＜請求項２及び請求項１１の発明＞
最初に画像を形成すべき面が指定されない場合には、シートのいずれの面をどちら側に向けて載置部に載置しても、シートには適切に画像が形成される。このような場合にまで、第１指示画面が表示されて、ユーザがその内容を確認しなければならないとなると、煩わしい。
【００２７】
請求項２及び請求項１１の発明によれば、最初に画像を形成すべき面が指定されない場合には、第１指示画面が表示されない。このため、ユーザは第１指示画面の確認を行わなくてもよい。
【００２８】
＜請求項３及び請求項１２の発明＞
例えば、会社のロゴがシートの下縁にのみ印刷されているシートに画像を形成する場合、シートの搬送方向に対してロゴをどちら側に位置させて載置すれば、ロゴが下縁に位置した状態で正立画像が形成されるかを、ユーザが考慮する必要がある。
【００２９】
請求項３及び請求項１２の発明によれば、ユーザは第１指示画面に表示された、シートの搬送方向に対するシートの向きに従って載置部にシートを載置すればいよいので、ユーザの負担を軽減できる。
【００３０】
＜請求項４及び請求項１３の発明＞
シートの片面にのみ画像が形成される場合、シートの画像形成面には、印刷対象画像の１ページから順に、２、３、…と画像が形成される。一方、最初に印刷対象画像の偶数ページから画像が形成される場合には、シートの画像形成面には、印刷対象画像の２ページから順に、４、６、…と画像が形成される。このため、最初に印刷対象の偶数ページから画像を形成する場合には、シートの面の向きを、シートの片面にのみ画像が形成される場合と反対に向けておく（裏返す）必要がある。
【００３１】
この場合に、画像形成に必要な枚数よりも多くのシートを裏返すと、両面印刷が終了した後に、再びシートを裏返す必要があるので、煩わしい。一方、画像形成に必要な枚数よりも少ないシートを裏返した場合には、所望の面に画像が形成されないシートが混在することになる。このように、画像形成に必要な枚数を常に考慮することは、ユーザにとって負担である。
【００３２】
請求項４及び請求項１３の発明によれば、ユーザは、第１指示画面に表示された指示に従って、画像形成に必要な枚数のシートにつき、シートの面の向きを考慮すればよいから、ユーザの負担を軽減できる。
【００３３】
＜請求項５及び請求項１４の発明＞
シートに、最初に印刷対象画像の偶数ページから画像を形成させる場合に、全てのシートを、片面印刷時に使用する面を裏返して載置すると、両面印刷モードが終了したときに、載置部に裏返されたシートが残存する場合がある。裏返されたシートが残存した状態のまま、片面印刷モードで画像を形成すると、所望の面に画像が形成されなくなることが懸念される。
【００３４】
請求項５及び請求項１４の発明によれば、ユーザは第２指示画面に表示された指示にしたがって、両面印刷モードが終了した後に、載置部に（片面印刷時に使用する面を裏返して）載置されたシートを（さらに）裏返す。これにより、両面印刷モードの終了後に、片面印刷時に使用する面を裏返して載置されたシートが残存することを防止できる。
【００３５】
＜請求項６及び請求項１５の発明＞
両面印刷モードにおいて、シートに、印刷対象画面の奇数ページから画像を形成させる場合、シートの一方の面に画像が形成された状態では、シートは、片面印刷モードで画像が形成されたときと同じ順序（奇数ページが昇順、フェイスダウン排紙）で積載されるようになっている。引き続いて、シートの他方の面に画像を形成すると、シートの並び順は、今度は、片面印刷モードの場合と逆順（フェイスアップ排紙）になる。
【００３６】
請求項６及び請求項１５の発明によれば、ユーザは、第３指示画面に表示された指示に従い、両面印刷モードが終了した後に、シートを裏返すことで、シートの並び順を、片面印刷モードにおけるシートの並び順（フェイスダウン排紙）と同じにすることができる。
【００３７】
＜請求項７及び請求項１６の発明＞
請求項７及び請求項１６の発明によれば、ユーザは、シートを何枚裏返せばいいかを知ることができる。
【００３８】
＜請求項８及び請求項１７の発明＞
画像形成装置に載置部が複数設けられている場合、各載置部において、画像を形成すべきシートの面をどちら側に向けて載置するかが異なる場合がある。すると、ユーザは、画像を形成すべきシート面をどちら側に向けて載置すべきか、混乱することが懸念される。
【００３９】
請求項８及び請求項１７の発明によれば、ユーザは、第１指示画面により、各載置部に、画像を形成すべきシートの面をどちら側に向けて載置すればいいかを容易に判断できる。これにより、画像形成装置に載置部が複数設けられている場合でも、ユーザが混乱することを防止できる。
【００４０】
＜請求項９及び請求項１８の発明＞
シートの片面にのみ画像が形成される場合、シートの画像形成面には、印刷対象画像の１ページから順に、２、３、…と画像が形成される。シートに、印刷対象画面の奇数ページから画像を形成させる場合には、シートの画像形成面には、印刷対象画像の1ページから順に、３、５、…と画像が形成される。このため、最初に印刷対象の奇数ページから画像を形成する場合には、シートの面の向きを、シートの片面にのみ画像が形成される場合と同じ向きに載置すればよく、シートを裏返す必要がない。このような場合にまで、第１指示画面が表示されて、ユーザがその内容を確認しなければならないとなると、煩わしい。
【００４１】
請求項９及び請求項１８の発明によれば、シートに、最初に、印刷対象画像の奇数ページから画像を形成させる場合には、第１指示画面が表示されないので、ユーザは、第１表示画面の確認を行わなくてもよい。このように、ユーザは、シートを裏返す必要のない場合には、第1指示画面を確認する手間を省くことができる。
【００４２】
＜請求項１０の発明＞
請求項１０の発明によれば、ユーザは表示装置に表示された第１指示画面により、最初に画像を形成すべきシートの面の向きを知ることができる。これにより、ユーザは、シートの画像を形成すべき面をどちら側に向けて載置すればよいかを自分で考慮しなくてもよいから、載置部へのシートの載置作業を容易に行うことができる。
【００４３】
また、例えば、コンピュータと画像形成装置とがローカルエリアネットワークを介して接続されている場合には、コンピュータと画像形成装置とが離れて設置されている場合がある。この場合に、コンピュータに接続された表示装置に指示画面を表示させる構成によると、ユーザは指示画面を確認するためにコンピュータが設置された場所までわざわざ移動しなければならず、煩わしい。
【００４４】
上記の点を鑑み、請求項１０の発明においては、ユーザは、画像形成装置の表示部に表示された第１指示画面を見ることができる構成になっている。これにより、ユーザは、わざわざコンピュータが設置された場所まで移動して指示画面を確認する必要がない。
【発明を実施するための最良の形態】
【００４５】
＜実施形態１＞
本発明の実施形態１を図１ないし図２４を参照して説明する。
１．  レーザプリンタ
図１は、レーザプリンタ１（「画像形成装置」の一例）の側断面図である。以下では、図１における右側を「前側」とし、その反端側を「後側」として説明する。
【００４６】
図１に示すように、レーザプリンタ１は全体として箱状をなしている。レーザプリンタ１の本体ケーシング２には、その前側の側面にフロントカバー５が回動自在に設けられており、例えば後述するプロセスカートリッジ３１を交換するために開閉可能になっている。このフロントカバー５の下側には、印刷前の用紙（「シート」の一例）３が収容される用紙カセット（「載置部」の一例）６が上記前面側から引き出し可能に設けられている。また、レーザプリンタ１の上面には、印刷（画像形成）済みの用紙３が排紙される排紙トレイ（「積載部」の一例）４が設けられている。
【００４７】
用紙カセット６には、積層された被記録媒体としての用紙３が収納される。用紙カセット６の前端部に設けられたレバー２０は、図中反時計回りに回転することで用紙押圧板１８の前端部を上方に持ち上げ、用紙押圧板１８を供給位置に移動させる。すると、用紙押圧板１８上の用紙３は、給紙ローラ１３に押圧され、分離ローラ１１と分離パッド１２との作用により用紙３が１枚ずつ分離されて給送される。
【００４８】
また、図２に示すように、フロントカバー５には、矩形状に貫通形成された開口部５Ａを覆うようにして、マルチパーパストレイ７（「載置部」の一例、以下、「ＭＰトレイ７」という）が開閉可能に設けられている。このように本実施形態のレーザプリンタ１には、「載置部」として、用紙カセット６とＭＰトレイ７とが設けられている。図２では、このＭＰトレイ７が開いた状態を示す。
【００４９】
ＭＰトレイ７は、本体ケーシング２に対して下端部側が回転軸７Ａを介して軸支され、その回転軸７Ａを中心に開閉可能となっており、その内面部分７Ｂを上方に向けた状態で係止され（図１参照）、この内面部分７Ｂに手差し用の用紙３が積載されるトレイ部７Ｃが設けられている。なお、このトレイ部７Ｃは、ＭＰトレイ７が開いた状態で、後端側（用紙３の挿入先端側）が下方に傾斜した姿勢になる。このＭＰトレイ７は、任意のサイズの用紙３を積層状に載置可能に構成されている。
【００５０】
また、用紙カセット６の前端側上部にはマルチパーパスユニット（以下、「ＭＰユニット７０」）が配置される。ＭＰユニット７０では、ＭＰ分離ローラ６２とＭＰ分離パッド６３とが対向接触した状態で、付勢部材６５の付勢力によってＭＰ分離パッド６３がＭＰ分離ローラ６２に向かって押圧される。そして、ＭＰトレイ７上に積層される最上位の用紙３は、ＭＰ給紙ローラ６１の回転によってＭＰ分離ローラ６２とＭＰ分離パッド６３とで挟まれた後、それらの協働により、１枚ずつ分離されて給送される。
【００５１】
用紙カセット６の上方、且つ、ＭＰトレイ７の後方には、プロセスカートリッジ３１が配置される。プロセスカートリッジ３１はフロントカバー５を開けることで本体ケーシング２に対して着脱可能とされ、トナー４４交換等のメンテナンスに際して前方へ引き抜かれる。トナー収容室４５に収容されているトナー４４は、供給ローラ４６と現像ローラ４７との間の摩擦により正に帯電される。感光ドラム４０の表面は、感光ドラム４０の回転に伴って、まず、スコロトロン型帯電器４１により一様に正に帯電された後、スキャナ部３０からのレーザ光Ｌにより露光される。これにより、感光ドラム４０の表面には、用紙３上に形成すべき画像に対応した静電潜像が形成される。次いで、現像ローラ４７の回転により、現像ローラ４７上のトナーが感光ドラム４０の表面に供給され、静電潜像にトナーが付着し、静電潜像が可視化されてトナー像が形成される。感光ドラム４０の表面に担持されたトナー像は、用紙３が感光ドラム４０と転写ローラ４３との間を通過する間に、転写ローラ４３に印加される転写バイアス電圧によって用紙３上に転写される。尚、用紙３には、印刷対象画像が天側から順に転写されるようになっている。
【００５２】
プロセスカートリッジ３１の後方には、用紙３上にトナーを定着させるための定着部３２が設けられている。定着部３２は転写された用紙３上にトナーを加熱溶融させるための加熱ローラ５０と、加熱ローラ５０に対向して配置され、給送される用紙３を加熱ローラ５０に向けて押圧する加圧ローラ５１とを備える。
【００５３】
加熱ローラ５０及び加圧ローラ５１の後方には、本体ケーシング２の上面に向かって上下方向に延びた排紙パス５２が設けられており、定着部３２から排紙パス５２に搬送された用紙３は、その上側に設けられた排紙ローラ５３によって排紙トレイ４上に排出される。
【００５４】
図１に示すように、用紙カセット６から給紙される用紙３に画像を形成する場合、用紙３は、まず、用紙カセット６の前部付近で、折り返されるようにして反転搬送される。続いて、用紙３は、矢線に示す第１搬送経路５５に沿ってレーザプリンタ１内を後方へ搬送される途中で、感光ドラム４０と転写ローラ４３との間を通過する。このとき、用紙３の上面に画像が形成される。その後、用紙３は排紙パス５２において、再び折り返されるようにして反転搬送され、排紙トレイ４上に排出される。このため、用紙３は、排紙トレイ４に、画像が形成された面を下向きにして積載される（フェイスダウン排紙）。このように、用紙カセット６に用紙３を載置する場合には、画像を形成すべき面を図１における下方に向けて載置しておく必要がある。
【００５５】
一方、図２に示すように、ＭＰトレイ７から給紙される用紙３に画像を形成する場合、用紙３は、ＭＰトレイ７から、矢線に示す第２搬送経路５６に沿って、レーザプリンタ１内を後方へ搬送される途中で、感光ドラム４０と転写ローラ４３との間を通過する。このとき、用紙３の上面に画像が形成される。用紙カセット６から用紙３が搬送される場合と異なり、ＭＰトレイ７から用紙３が搬送される場合、用紙３は感光ドラム４０等の上流側で反転搬送されない。このため、ＭＰトレイ７に用紙３を載置する場合には、画像を形成すべき面を図２における上方に向けて載置しておく必要がある。その後の用紙３の搬送経路は用紙カセット６の場合と同様に第１搬送経路５５であるので重複する説明を省略する。
【００５６】
２．  ハードウェア構成
図３は、画像形成システム８０を示すブロック図である。この画像形成システム８０は、パーソナルコンピュータ８１と、レーザプリンタ１とが、例えばＬＡＮケーブル８２を介して接続されることにより構成されている。レーザプリンタ１は、パーソナルコンピュータ８１から出力される画像データを受信すると、この受信した画像データに基づき画像形成を実行する。
【００５７】
パーソナルコンピュータ８１は、外部からの入力操作を受け付ける操作部８３（例えばキーボードやマウス等）と、印刷しようとする画像のプレビュー画面やユーザーインターフェース画面等を表示可能な表示装置８４と、ＲＯＭ８５と、ＲＡＭ８６と、ＣＰＵ８７（「コンピュータ」の一例）と、ハードディスク（以下、「ＨＤＤ」という）８８と、ネットワークインターフェース（以下、「ネットワークＩ／Ｆ」という）８９とを備えて構成されている。ＨＤＤ８８には、本発明の表示制御プログラム、レーザプリンタ１に出力する画像データを作成するためのアプリケーションソフト、及び、プリンタドライバ等が記憶されている。ＣＰＵ８７は、操作部８３から入力される起動指令等に基づいて、表示制御プログラム、アプリケーションソフト、及び、プリンタドライバ等をＨＤＤ８８から読み出して実行する。
【００５８】
ＲＯＭ８５には、パーソナルコンピュータ８１を制御するための各種制御プログラムや各種設定値、初期値等が予め記憶されている。
【００５９】
ＲＡＭ８６には、ＣＰＵ８７がＲＯＭ８５から読み出した各種制御プログラムや各種設定値、初期値等が一時的に記憶される。また、ＲＡＭ８６には、パーソナルコンピュータ８１内のアプリケーションソフトやプリンタドライバ等で作成された画像データが一時的に記憶される。
【００６０】
また、ＲＡＭ８６には、ユーザがパーソナルコンピュータ８１の操作部８３、又は、後述するレーザプリンタ１の操作部９０を操作することによって入力された各種の印刷条件（片面印刷モードの指定、両面印刷モードの指定、印刷枚数の指定、用紙３の表裏を区別するかしないかの指定、用紙３の綴じ方の指定、Ｎｉｎ１モードの指定、集約数Ｎの指定等）が一時的に記憶される。
【００６１】
ユーザが所定の操作を行うことによって、操作部８３からＣＰＵ８７に対して印刷要求指令が出力される。ＣＰＵ８７が操作部８３からの印刷要求指令を受信すると、アプリケーションソフトにて作成された画像データをプリンタドライバに引き渡す処理が実行されると共に、プリンタドライバによって画像データを例えばＰＤＬデータに変換（展開）する処理が実行される。次いで、ネットワークＩ／Ｆ８９及びＬＡＮケーブル８２を介して、レーザプリンタ１へ画像データが出力される。
【００６２】
レーザプリンタ１は、外部からの入力操作を受け付ける操作部９０と、用紙３への画像形成操作を制御する画像形成部９１と、ＲＯＭ９２と、ＲＡＭ９３と、ＣＰＵ９４と、ネットワークインターフェース（以下、「ネットワークＩ／Ｆ」）９５と、ＵＳＢホストインターフェース（以下、「ＵＳＢホストＩ／Ｆ」）９６とを備えている。また、レーザプリンタ１は、ＵＳＢメモリ９７が着脱可能に装着され、このＵＳＢメモリ９７内の情報がＵＳＢホストＩ／Ｆ９６を介して読み込まれるようになっている。このＵＳＢメモリ９７には印刷対象の画像ファイルが記憶されており、レーザプリンタ１は、このＵＳＢメモリ９７に記憶された画像ファイルを読み込んで、この画像ファイルを印刷可能となっている。
【００６３】
ＲＯＭ９２には、パーソナルコンピュータ８１からの問い合わせに応じて返答するプログラムや、パーソナルコンピュータ８１からの指示により処理するプログラムや、レーザプリンタ１全体の動作を制御するプログラムなどが格納されている。
【００６４】
ＣＰＵ９４は、ＲＯＭ９２に格納されたプログラムに基づいて上記パーソナルコンピュータ８１からネットワークＩ/Ｆ９５を介して受信されたＰＤＬデータについてプリンタ言語処理（ＰＤＬ処理）を行って画像形成部９１に送る制御を行う。そして、画像形成部９１は、送られてきたデータを下に画像形成対象のデータに応じた情報を用紙３に画像形成動作を実行する。
【００６５】
３．  印刷モードの説明
レーザプリンタ１では、用紙３の片面に印刷する片面印刷モード、及び、用紙３の両面に印刷する両面印刷モードの実行が可能である。
【００６６】
（１）  片面印刷モード
図４に並べて示すように、用紙３には、例えば、用紙３の表面７６であって、且つ、その天側近傍に会社のロゴ７５が印刷されており（図中左側に示した）、一方、裏面７７には何も印刷されていない場合（図中右側に示した）など、表裏の区別及び天地の区別の双方がなされるものがある。なお、以下においては、図中の上側を用紙３の天側として説明する。
【００６７】
このような複数の用紙３に画像を形成する場合において、片面印刷モードの指定がされると、レーザプリンタ１は、ＣＰＵ８７が印刷対象画像ファイルを昇順に並び替えたデータを、ＣＰＵ８７から受信し、用紙３の表面７６に印刷対象画像を昇順に印刷する（図５参照）。尚、図５の「Ｐａｇｅ１」「Ｐａｇｅ２」・・・は、用紙３に印刷された画像であり、画像中の数字は、何ページ目の画像であるかを示している。
【００６８】
図６には、用紙カセット６に用紙３を載置する場合の用紙３の載置方法を模式的に示す。図６において、用紙３の表面７６、且つ、天側の位置は、「△」で示した。上述したように、用紙カセット６に用紙３を載置する場合には、１ページ目の画像データを形成すべき面（表面）が下を向くように載置しなければならない。また、用紙３に天地の区別がある場合に正立した画像を印刷するためには（例えば、会社のロゴ７５に対して正立した画像を印刷する場合）には、用紙３の天側が、用紙カセット６の前側（用紙３の搬送方向に対して下流側）に位置するように載置しなければならない。なお、用紙３に印刷されたページ数を、丸で囲んだ数字によって示した。図６では、１〜３ページが印刷され、排紙トレイ４にフェイスダウン排紙されている。
【００６９】
一方、図７には、ＭＰトレイ７に用紙３を載置する場合の用紙３の載置方法を模式的に示す。ＭＰトレイ７に用紙３を給紙する場合には、１ページ目の画像データを印刷すべき面（表面）が上を向くように載置しなければならない。また、用紙３に天地の区別がある場合には、用紙３の天側が、ＭＰトレイ７の後側（用紙３の搬送方向に対して下流側）に位置するように載置しなければならない。
【００７０】
（２）  両面印刷モード
上述した本実施形態のレーザプリンタ１では、用紙３の一方の面に印刷対象画像を形成した後、用紙３を再搬送して、自動的に用紙３の他方の面に印刷対象画像を形成する両面印刷ユニットが設けられていない。そこで、本実施形態のレーザプリンタ１では、両面印刷モードが指定された場合、用紙３の一方の面に１回目の印刷を行った後、ユーザは、印刷後の用紙３を用紙カセット６又はＭＰトレイ７にセットし直し、用紙３の他方の面に２回目の印刷を行わなければならない。このようにして、例えば図８に示すように、用紙３の表面７６及び裏面７７に画像を印刷することができる。尚、図８における左から１番目と２番目の図は、それぞれ、１ページ目と２ページ目の画像が印刷される１枚の用紙３における表面、裏面を表しており、左から３番目と４番目の図は、それぞれ、３ページ目と４ページ目の画像が印刷される１枚の用紙３における表面、裏面を表している。
【００７１】
図９に、本実施形態において、用紙３に１回目の印刷をする場合の、用紙カセット６への用紙３の載置方法の一例を示す。まず、図９に示すように、ユーザは、用紙カセット６に、用紙３の表面７６が上を向くようにし、且つ、用紙３の天側が前側（用紙３の搬送方向下流側）に位置するようにして、用紙３を載置する。これは、片面印刷モードにおける用紙３の面の向きと異なる。続いてレーザプリンタ１は、ＣＰＵ８７が印刷対象画像ファイルの偶数ページを降順に並び替えたデータを、ＣＰＵ８７から受信し、用紙３の裏面７７に印刷対象画像ファイルの偶数ページを降順に印刷する。図９では、印刷対象画像の２、４、６ページが印刷された用紙３が排紙トレイ４にフェースダウン排紙されている。
【００７２】
次に、図１０に示すように、ユーザは、排紙トレイ４に排出された用紙３を、ＭＰトレイ７に、用紙３の表面７６が上を向くようにし、且つ、用紙３の天側がＭＰトレイ７の後側（用紙３の搬送方向の下流側）に位置するようにして、用紙３を載置する。続いて、レーザプリンタ１は、ＣＰＵ８７が印刷対象画像ファイルの奇数ページを昇順に並び替えたデータを、ＣＰＵ８７から受信して、用紙３の表面７６に、印刷対象画像の奇数ページを昇順に印刷する。すると、排紙トレイ４には、用紙３の両面に印刷対象画像が印刷された用紙３が、画像形成面を下向き（フェースダウン排紙）にして積載される。このようにして、本実施形態のレーザプリンタ１を用いて用紙３に両面印刷をすることができる（図８参照）。
【００７３】
４．  制御内容
以下に、図１１ないし図２４を参照して、表示制御プログラムについて説明する。ユーザによって印刷の開始指令が入力されると、ＣＰＵ８７によって図１１のフローチャートに示す印刷処理が実行される。
【００７４】
まず、ＣＰＵ８７は、パーソナルコンピュータ８１の表示装置８４に図１２又は図１３に示す応用設定画面Ｐ６０を表示させるプリンタ設定表示処理Ｓ１０を実行する。
【００７５】
応用設定画面Ｐ６０には、ユーザが両面印刷モードを設定するか否かを指示するための両面印刷チェックボックスＰ６１と、用紙３に表裏の区別があるか否かを指示するための表裏チェックボックスＰ６２と、これら両チェックボックスＰ６１、Ｐ６２の下方に、用紙３の綴じ方を指定する複数の綴じ方チェックボックスＰ６３とが表示されている。また、応用設定画面Ｐ６０の下部には、ＯＫボタンＰ６４、キャンセルボタンＰ６５、及び、ヘルプボタンＰ６６が表示されている。
【００７６】
ユーザは、所望するモードで印刷を行うために、各チェックボックスＰ６１、Ｐ６２及びＰ６３のうちから所定のものを選択した後、ＯＫボタンＰ６４を選択する。すると、ＣＰＵ８７は、片面印刷モードが選択されたか、又は、両面印刷モードが選択されたかを認識する第１認識処理を実行し（Ｓ１１）、片面印刷モードが選択されたと認識した場合には（Ｓ１１：Ｎ）、片面印刷処理を実行する（Ｓ１５）。この片面印刷処理では、上述したように、ＣＰＵ８７は印刷対象の画像データを昇順に並び替えてレーザプリンタ１に送信し、レーザプリンタ１に、用紙３の表面７６に印刷対象の画像データを印刷させる。片面印刷処理が終了すると、印刷に関する処理は終了する。
【００７７】
一方、両面印刷モードが選択されたと認識した場合には（Ｓ１１：Ｙ）、用紙３に表裏の区別があるか否か、を認識する表裏認識処理を実行する（Ｓ１２）。用紙３に表裏の区別があると認識した場合には、（Ｓ１２：Ｙ）、用紙３に表裏の区別がある場合の両面印刷処理を実行する（Ｓ１３）。また、用紙３に表裏の区別がないと認識した場合には（Ｓ１２：Ｎ）、用紙３に表裏の区別がない場合の両面印刷処理を実行する（Ｓ１４）。
【００７８】
（表裏の区別がある場合の両面印刷処理）
図１４に、Ｓ１３にて実行される、用紙３に表裏の区別がある場合の両面印刷処理の詳細を示す。まず、ＣＰＵ８７は、プリンタドライバを制御するプログラムから、印刷対象ファイルのページ情報を取得する（Ｓ２０）。このページ情報には、印刷するページ数ｎの情報が含まれ、この情報に基づいて、実際に使用される用紙３の枚数｛（ｎ＋１）／２の整数部分｝が算出される。
【００７９】
次に、図１２の応用設定画面Ｐ６０に示すように用紙３の長辺を綴じるための印刷が行われる場合（Ｓ２１：Ｙ）、または、用紙３の短辺を綴じ且つ奇数ページと偶数ページとに印刷される画像の天地を揃えるための印刷が行われる場合（Ｓ２１：Ｎで、Ｓ２４：Ｎ）には、Ｓ２２において、ＣＰＵ８７は、図１６に示すように、第１指示画面Ｐ１０を表示装置８４に表示させる後述する第１表示処理Ａを実行する。
【００８０】
ここで、例えば、用紙３の長辺を綴じるための印刷が行われる場合、図８に示すように、用紙３の表面７６及び裏面７７の双方に、用紙３の天地方向（図８における上下方向）に対して正立した画像を形成させる。この場合、上述したように、まず、１回目の印刷において、用紙３の裏面７７に、用紙３の天側に対して正立する方向で、印刷対象画像の偶数ページを降順に並び替えて、レーザプリンタ１に印刷させる。
【００８１】
このときユーザは、用紙カセット６に用紙３を載置する場合には、図９に示すように、用紙３の表面７６が上を向くようにし、且つ、用紙３の天側が前側（用紙３の搬送方向下流側）に位置するようにして、用紙３を載置しなければならない。これは、片面印刷モードにおいて用紙カセット６に用紙３を載置する際の用紙３の面の向きとは異なっている（図６参照）。
【００８２】
一方、ユーザは、ＭＰトレイ７に用紙３を載置する場合には、図１５に示すように、用紙３の表面７６が下を向くようにし、且つ、用紙３の天側が後側（用紙３の搬送方向下流側）に位置するようにして、用紙３を載置しなければならない。これも、片面印刷モードにおいてＭＰトレイ７に用紙３を載置する際の用紙３の面の向きとは異なっている（図７参照）。しかも、天地の向きに関しては、用紙カセット６に用紙３を載置する場合と、用紙３の搬送方向に対する向きが反対になっており、且つ、用紙の表裏の向きについても、用紙カセット６の場合と反対になっている（図９参照）。
【００８３】
このとき、ユーザは、用紙３の表面７６に印刷されたロゴ７５を指標にしながら、用紙３の裏面７７に印刷される画像の向きを考慮して、用紙カセット６又はＭＰトレイ７に用紙３を載置しなければならず、煩わしい。
【００８４】
上記の点に鑑み、本実施形態においては、図１４に示すように、Ｓ２２において、ＣＰＵ８７は、第１指示画面Ｐ１０を表示装置８４に表示させる第１表示処理Ａを実行する（図１６参照）。第１指示画面Ｐ１０は、図１６に示すように、用紙カセット６及びＭＰトレイ７への用紙３の載置方法についてユーザに指示するようになっている。
【００８５】
第１指示画面Ｐ１０の上部には、上述の用紙３の載置方法について文字で指示するダイアログ表示部Ｐ１１が表示されている。このダイアログ表示部Ｐ１１には、
（ａ）用紙３をセットする枚数
（ｂ）用紙３の搬送方向に対する、用紙３の天側の向き
（ｃ）用紙３の表面の向き
（ｄ）用紙カセット６及びＭＰトレイ７への用紙３の載置方法
が表示されている。具体的には、
「用紙７枚を下記の様にセットしてください（（ａ）に対応）。カセットの場合は（（ｄ）に対応）、用紙上部を手前（（ｂ）に対応）、表面を上にしてください（（ｃ）に対応）。ＭＰの場合は逆にしてください（（ｄ）に対応）。」と表示されている。
【００８６】
また、ダイアログ表示部Ｐ１１の下方には、用紙カセット６への用紙３の載置方法を画像で指示する用紙カセット指示画面Ｐ１２と、ＭＰトレイ７への用紙３の載置方法を画像で指示するＭＰトレイ指示画面Ｐ１３が並んで表示されている。図中、左側には用紙カセット指示画面Ｐ１２が表示されており、右側はＭＰトレイ指示画面Ｐ１３が表示されている。
【００８７】
用紙カセット指示画面Ｐ１２には、レーザプリンタ１の模式的な外観斜視図が表示されている。この用紙カセット指示画面Ｐ１２では、用紙カセット６が前方に引き出された状態になっている。用紙３の表面には、その上部（天側）に、例えば会社名を記載したロゴＰ１６が表示されている。用紙カセット指示画面Ｐ１２では、このロゴＰ１６が、上を向くように（用紙３の表面が上を向くように）、且つ、ロゴＰ１６が用紙３の搬送方向に対して下流側に位置するように（用紙３の天側が用紙カセット６の手前側になるように）表示されている。
【００８８】
一方、ＭＰトレイ指示画面Ｐ１３には、ＭＰトレイ７が開いた状態になっている。ＭＰトレイ指示画面Ｐ１３では、ロゴＰ１６が、下を向くように（用紙３の表面が下を向くように）、且つ、ロゴＰ１６が用紙３の搬送方向に対して下流側に位置するように（用紙３の天側がＭＰトレイ７の奥側となるように）表示されている。
【００８９】
このように、ユーザは、第１指示画面Ｐ１０を見ることにより、ダイアログ表示部Ｐ１１からは文字情報によって用紙３の載置方法を指示され、且つ、用紙カセット指示画面Ｐ１２及びＭＰトレイ指示画面Ｐ１３からは画像情報によって用紙３の載置方法を指示されるようになっている。これにより、用紙３を用紙カセット６又はＭＰトレイ７に容易に載置することができる。
【００９０】
両指示画面Ｐ１２、Ｐ１３の下方には、１回目の印刷処理を実行させるためのＯＫボタンＰ１４と、印刷処理を中止させるためのキャンセルボタンＰ１５が左右に並んで表示されている。
【００９１】
ユーザは、図１４において、Ｓ２０で算出された枚数の用紙３を用紙カセット６又はＭＰトレイ７に載置すると、第１表示画面Ｐ１０のＯＫボタンＰ１４を選択する。すると、Ｓ２３で「ＯＫ」となり、ＣＰＵ８７は偶数ページ降順印刷処理（Ｓ２６）を実行する。尚、用紙３に表裏の区別がある場合の両面印刷処理を行うために用紙３を用紙カセット６またはＭＰトレイ７に載置する場合、元々片面印刷のために載置された用紙３の余りを使用する場合には、載置された用紙３のうち、Ｓ２０で算出された枚数の用紙３を裏返して、図１６に示すように載置することとなる。
【００９２】
Ｓ２６では、ＣＰＵ８７は、用紙３の裏面７７に、印刷対象の画像ファイルのうち偶数ページを降順（…、６、４、２）に並び替えて、レーザプリンタ１に印刷させる。
【００９３】
Ｓ２６が終了した後、用紙３の長辺を綴じるための印刷を行う場合（Ｓ２７：Ｙ）、または用紙３の短辺を綴じ且つ奇数ページと偶数ページとに印刷される画像の天地を揃えるための印刷を行う場合（Ｓ２７：Ｎで、Ｓ２９：Ｎ）には、ユーザは、排紙トレイ４に積載された、裏面７７に偶数ページが印刷された用紙３を、ＭＰトレイ７に再セットする。このとき、図１０に示すように、用紙３の表面に正立画像を形成するためには、ＭＰトレイ７に用紙３の表面７６が上を向くようにし、且つ、用紙３の天側が後側（用紙３の搬送方向下流側）を向くようにして載置しなければならない。
【００９４】
そこで、Ｓ２６が終了した後、ＣＰＵ８７は、図１４に示すように、Ｓ２８において、再セット指示画面Ｐ３０を表示装置８４に表示させる再セット表示処理Ａを実行する（図１７参照）。
【００９５】
再セット指示画面Ｐ３０は、図１７に示すように、ＭＰトレイ７への用紙３の載置方法についてユーザに指示するようになっている。再セット指示画面Ｐ３０の上部には、上述の用紙３の載置方法について指示するダイアログ表示部Ｐ３１が表示されている。具体的には、
「偶数ページが印刷された後に、下図に従ってＭＰトレイに印刷済みの紙を再セットしてください。奇数ページを印刷するために、ＯＫをクリックしてください。」と表示されている。
【００９６】
また、ダイアログ表示部Ｐ３１の下方には、ＭＰトレイ７への用紙３の載置方法を画像で指示するＭＰトレイ指示画面Ｐ３２が表示されている。具体的には、
（ｐ）用紙３の印刷済み面を下向きに再セットすること。
（ｑ）用紙３をその短辺側からレーザプリンタ１に挿入する場合には、既に印刷された画像の天側が、ＭＰトレイの奥側（用紙３の搬送方向に対して下流側）を向く姿勢で再セットすること。
（ｒ）用紙３をその長辺側からレーザプリンタ１に挿入する場合には、既に印刷された画像の右側が、ＭＰトレイの奥側（用紙３の搬送方向に対して下流側）を向く姿勢で再セットすること。
が表示されている。
【００９７】
ユーザは、再セット指示画面Ｐ３０を見ることにより、用紙３をＭＰトレイ７に容易に載置することができる。
【００９８】
ＭＰトレイ指示画面Ｐ３２の下方には、２回目の印刷処理を実行させるためのＯＫボタンＰ３３と、印刷処理を中止させるためのキャンセルボタンＰ３４が左右に並んで表示されている。
【００９９】
ユーザは、用紙３をＭＰトレイ７に載置すると、再セット指示画面Ｐ３０のＯＫボタンＰ３３を選択する。すると、図１４に示すＳ３１で「ＯＫ」となり、ＣＰＵ８７は奇数ページ昇順印刷処理（Ｓ３２）を実行する。
【０１００】
Ｓ３２の奇数ページ昇順印刷処理では、ＣＰＵ８７は、既に偶数ページが印刷された用紙３の表面７６に対して、印刷対象の画像ファイルのうち奇数ページを昇順（１、３、５、…）に並び替えて、レーザプリンタ１に印刷させる。Ｓ３２が終了すると、用紙３を排紙トレイ４に排出させ、印刷に関する処理は終了する。
【０１０１】
一方、図１４において、用紙３の短辺を綴じる場合であって（Ｓ２１：Ｎ）、且つ、用紙３の表面７６と裏面７７とで印刷対象画像の天地を反転させる場合（Ｓ２４：Ｙ）、即ち、図１３の応用設定画面Ｐ６０に示すように用紙３を綴じるための印刷が行われる場合には、Ｓ２５において、ＣＰＵ８７は、図２１に示すように、第２指示画面Ｐ２０を表示装置８４に表示させる後述する第１表示処理Ｂを実行する。
【０１０２】
この場合、図１８に示すように、用紙３の表面７６には、用紙３の天地方向（図の上下方向）に対して正立した画像を印刷し、一方、裏面７７には倒立した画像を形成する。
【０１０３】
上述したように、ＣＰＵ８７は、まず、１回目の印刷において、用紙３の裏面７７に、用紙３の天側に対して倒立する方向で、印刷対象画像の偶数ページを降順に並び替えて、レーザプリンタ１に印刷させる。
【０１０４】
このときユーザは、用紙カセット６に用紙３を載置する場合には、図１９に示すように、用紙３の表面７６が上を向くようにし、且つ、用紙３の天側が後側（用紙３の搬送方向上流側）に位置するようにして、用紙３を載置しなければならない。これは、片面印刷モードにおいて用紙カセット６に用紙３を載置する際の用紙３の面の向きとは異なっている（図６参照）。しかも、用紙３の天側の向きも、片面印刷モードの場合と異なっている（図６参照）。
【０１０５】
一方、ユーザは、ＭＰトレイ７に用紙３を載置する場合には、図２０に示すように、用紙３の表面７６が下を向くようにし、且つ、用紙３の天側が、前側（用紙３の搬送方向上流側）に位置するようにして、用紙３を載置しなければならない。これも、片面印刷モードにおいてＭＰトレイ７に用紙３を載置する際の用紙３の面の向きとは異なっている（図７参照）。しかも、天地の向きに関しては、用紙カセット６に用紙３を載置する場合と、前後方向が反対になっており、且つ、用紙表裏の向きについても、用紙カセット６の場合と異なっている（図１９参照）。その上、用紙３の天側の向きについても、片面印刷モードの場合と異なっている（図７参照）。
【０１０６】
このとき、ユーザは、上記と同様に、用紙３の表面７６に印刷されたロゴ７５を指標にしながら、用紙３の裏面７７に印刷される画像の向き考慮して、用紙カセット６又はＭＰトレイ７に用紙３を載置しなければならず、煩わしい。
【０１０７】
上記の点に鑑み、本実施形態においては、図１４に示すように、Ｓ２５において、ＣＰＵ８７は、第１指示画面Ｐ２０を表示装置８４に表示させる第１表示処理Ｂを実行する（図２１参照）。第１指示画面Ｐ２０は、図２１に示すように、用紙カセット６及びＭＰトレイ７への用紙３の載置方法についてユーザに指示するようになっている。この第１指示画面Ｐ２０は、用紙３の載置方法以外は上述した第１指示画面Ｐ１０と略同一なので、同一部分には同一符号を付して重複する説明を省略する。
【０１０８】
ダイアログ表示部Ｐ１１には、
「用紙７枚を下記の様にセットしてください（（ａ）に対応）。カセットの場合は（（ｄ）に対応）、用紙上部を奥（（ｂ）に対応）、表面を上にしてください（（ｃ）に対応）。ＭＰの場合は逆にしてください（（ｄ）に対応）。」と表示されている。
【０１０９】
用紙カセット指示画面Ｐ１２には、ロゴＰ１６が、上を向くように（用紙３の表面が上を向くように）、且つ、ロゴＰ１６が用紙３の搬送方向に対して上流側に位置するように（用紙３の天側が用紙カセット６の奥側になるように）表示されている。
【０１１０】
ＭＰトレイ指示画面Ｐ１３には、ロゴＰ１６が、下を向くように（用紙３の表面が下を向くように）、且つ、ロゴＰ１６が用紙３の搬送方向に対して上流側に位置するように（用紙３の天側がＭＰトレイ７の手前側となるように）表示されている。
【０１１１】
ユーザは、第１指示画面Ｐ２０を見て、その指示に従うことにより、用紙３を用紙カセット６又はＭＰトレイ７に容易に載置することができる。
【０１１２】
ユーザは、図１４において、所定枚数の用紙３を用紙カセット６又はＭＰトレイ７に載置して、第１表示画面Ｐ２０のＯＫボタンＰ１４を選択する（Ｓ２３：ＯＫ）。すると、ＣＰＵ８７は偶数ページ降順印刷処理（Ｓ２６）を実行する。
【０１１３】
Ｓ２６の偶数ページ降順印刷処理が終了した後、用紙３の短辺を綴じ且つ用紙３の表面７６と裏面７７とで印刷対象画像の天地を反転させるための印刷を行う場合（Ｓ２７：Ｎで、Ｓ２９：Ｙ）、ユーザは、排紙トレイ４に積載された、裏面７７に偶数ページが印刷された用紙３を、ＭＰトレイ７に再セットする。
【０１１４】
このとき、用紙３は、図１０に示すような姿勢で、ＭＰトレイ７に載置しなければならない。しかし、図１８に示すように、用紙３の裏面７７には、用紙３の天地方向に対して倒立した画像が印刷されている。一方、２回目の印刷において用紙３の表面７６にはその天地方向に対して正立した画像を印刷しなければならない。このため、ユーザは、用紙３の裏面７７に印刷された画像を指標として用紙３をＭＰトレイ７に載置しようとすると、混乱しやすい。
【０１１５】
上記の点に鑑み本実施形態においては、図１４に示すように、Ｓ３０において、再セット指示画面Ｐ４０を表示装置８４に表示させる再セット表示処理Ｂを実行する（図２２参照）。再セット指示画面Ｐ４０は、図２２に示すように、ＭＰトレイ７への用紙３の載置方法についてユーザに指示するようになっている。この再セット指示画面Ｐ４０は、用紙３の載置方法以外は上述した再セット指示画面Ｐ３０と略同一なので、同一部分には同一符号を付して重複する説明を省略する。
【０１１６】
図２２に示すように、ＭＰトレイ指示画面Ｐ３２には、用紙３のＭＰトレイ７への載置方法が図示されている。具体的には、
（ｓ）用紙３の印刷済み面を下向きに再セットすること。
（ｔ）用紙３をその短辺側からレーザプリンタ１に挿入する場合には、既に印刷された画像の天側が、ＭＰトレイの手前側（用紙３の搬送方向に対して上流側）を向く姿勢で再セットすること。
（ｕ）用紙３をその長辺側からレーザプリンタ１に挿入する場合には、既に印刷された画像の左側が、ＭＰトレイの奥側（用紙３の搬送方向に対して下流側）を向く姿勢で再セットすること。
が、表示されている。
【０１１７】
ユーザは、用紙３をＭＰトレイ７に載置すると、再セット指示画面Ｐ４０のＯＫボタンＰ３３を選択する。すると、図１４に示すＳ３１で「ＯＫ」となり、ＣＰＵ８７は奇数ページ昇順印刷処理（Ｓ３２）を実行する。
【０１１８】
Ｓ３２が終了すると、用紙３を排紙トレイ４に排出させ、印刷に関する処理は終了する。
【０１１９】
（表裏の区別がない場合の両面印刷処理）
図２３に、図１１に示す印刷処理において実行される表裏なし両面印刷処理（Ｓ１４）の詳細を示す。尚、図１４に示す表裏あり両面印刷処理と同一のステップを踏む部分には同一符号を付して重複する説明を省略する。まず、ＣＰＵ８７は、表示装置８４に給紙指示画面Ｐ５０を表示させる給紙表示処理Ｓ４０を実行する（図２４参照）。給紙指示画面Ｐ５０は、図２４に示すように、用紙カセット６及びＭＰトレイ７へ用紙３を載置するようにユーザに指示するようになっている。給紙指示画面Ｐ５０の上部には、用紙３を用紙カセット６及びＭＰトレイ７へ載置するよう文字で指示するダイアログ表示部Ｐ５１が表示されている。このダイアログ表示部Ｐ５１には「用紙をセットしてください」と表示されている。
【０１２０】
また、ダイアログ表示部Ｐ５１の下方には、用紙カセット６への用紙３の載置方法を画像で指示する用紙カセット指示画面Ｐ５２と、ＭＰトレイ７への用紙３の載置方法を画像で指示するＭＰトレイ指示画面Ｐ５３が表示されている。図２４において、左側には用紙カセット指示画面Ｐ５２が表示されており、右側にはＭＰトレイ指示画面Ｐ５３が表示されている。用紙カセット指示画面Ｐ５２及びＭＰトレイ指示画面Ｐ５３の下方には、印刷対象画像の偶数ページの印刷処理を実行させるためのＯＫボタンＰ５４と、印刷対象画像の偶数ページの印刷処理を中止させるためのキャンセルボタンＰ５５が左右に並んで表示されている。
【０１２１】
用紙カセット指示画面Ｐ５２には、レーザプリンタ１の模式的な外観斜視図が表示されている。この用紙カセット指示画面Ｐ５２では、用紙カセット６が前方に引き出された状態になっており、この用紙カセット６に用紙３を載置する指示が表示されている。
【０１２２】
ＭＰトレイ指示画面Ｐ５３には、ＭＰトレイ７が開いた状態になっており、このＭＰトレイ７に用紙３を載置する指示が表示されている。
【０１２３】
図１１の印刷処理における、用紙３に対して表裏の区別をするか否かを判断するステップ（Ｓ１２）で、ユーザは用紙３に対して表裏の区別をしないと判断したので（Ｓ１２：Ｎ）、ユーザは１回目の印刷時において、用紙カセット６又はＭＰトレイ７に用紙３を載置する際に、用紙３の面の向きを考慮しなくてもよい。このため、給紙指示画面Ｐ５０には用紙３の面の向きに関する指示は表示されていない。
【０１２４】
ユーザは、用紙３を用紙カセット６又はＭＰトレイ７に載置すると、給紙指示画面Ｐ５０のＯＫボタンＰ５４を選択する。すると、Ｓ４１で「ＯＫ」となり、ＣＰＵ８７は偶数ページ降順印刷処理（Ｓ２６）以降を実行する。
【０１２５】
５．  本実施形態の効果
本実施形態によれば、ユーザは表示装置８４に表示された第１指示画面Ｐ１０又はＰ２０により、最初に画像を形成すべき用紙３の面の向きを知ることができる。これにより、ユーザは、用紙３の画像を形成すべき面をどちら側に向けて載置すればよいかを自分で考慮しなくてもよいから、用紙カセット６又はＭＰトレイ７への用紙３の載置作業を容易に行うことができる。
【０１２６】
また、例えば、会社のロゴ７５が用紙３の上部（天側）に印刷されている用紙３に画像を形成する場合、用紙３の搬送方向に対してロゴ７５をどちら側に位置させて載置すれば、ロゴ７５に対して所望の画像が形成されるかを、ユーザが考慮する必要がある。
【０１２７】
上記の点に鑑み本実施形態においては、ユーザは第１指示画面Ｐ１０又はＰ２０に表示された、用紙３の搬送方向に対する用紙３の向きに従って用紙カセット６又はＭＰトレイ７に用紙３を載置すればよいので、ユーザの負担を軽減できる。
【０１２８】
また、上述したように用紙３の片面にのみ画像が形成される場合、用紙３の画像形成面（表面７６）には、印刷対象画像の１ページから順に、２、３、…と画像が形成される。一方、最初に印刷対象画像の偶数ページから画像が形成される場合には、用紙３の画像形成面（裏面７７）には、印刷対象画像の２ページから順に、４、６、…と画像が形成される。このため、最初に印刷対象の偶数ページから画像を形成する場合には、用紙３の面の向きを、用紙３の片面にのみ画像が形成される場合と反対に向けておく（裏返す）必要がある。
【０１２９】
この場合に、画像形成に必要な枚数よりも多くの用紙３を裏返すと、両面印刷が終了した後に、再び用紙３を裏返す必要があるので、煩わしい。一方、画像形成に必要な枚数よりも少ない用紙３を裏返した場合には、所望の面に画像が形成されない用紙３が混在することになる。このように、画像形成に必要な枚数を常に考慮することは、ユーザにとって負担である。
【０１３０】
本実施形態においては、ダイアログ表示部Ｐ１１において、予め算出された載置すべき用紙枚数｛（印刷対象画像の総ページ数＋１）／２｝の整数部分が表示される。そのため、ユーザは、表示された用紙枚数を確認して、その枚数分を載置すればよく、予め用紙枚数を予測したり、片面印刷のために既に元々載置されていた用紙３を裏返し、両面印刷後に残っている裏返しにされた用紙３を再び裏返したりする煩雑さから開放される。
【０１３１】
また、レーザプリンタ１には載置部として用紙カセット６とＭＰトレイ７とが設けられている。これら用紙カセット６及びＭＰトレイ７においては、画像を形成すべき用紙３の面をどちら側に向けて載置するかが異なる（図９及び図１５参照）。このため、ユーザは、画像を形成すべき用紙３の面をどちら側に向けて載置すべきか、混乱することが懸念される。
【０１３２】
上記の点を鑑み本実施形態においては、ユーザは、第１指示画面Ｐ１０又はＰ２０により、各載置部に、画像を形成すべき用紙３の面をどちら側に向けて載置すればいいかを容易に判断できる。これにより、ユーザが混乱することを防止できる。
また、本実施形態において、表裏の区別のない用紙３に両面印刷する場合、１回目の偶数ページの画像を印刷するために、用紙３の載置方法をダイアログ表示する必要がないため、ユーザに余分な手間をかけることを防止できる。
【０１３３】
＜実施形態２＞
次に、本発明の実施形態２を図２５ないし図２８を参照して説明する。本実施形態では、図１１における、用紙３に表裏の区別がある場合の両面印刷処理Ｓ１３の内容が実施形態１（図１４参照）と異なる。上記以外の構成については、実施形態１と略同じなので、図１４と同一部分には同一符号を付して重複する説明を省略する。
【０１３４】
図２５に、実施形態２における用紙３に表裏の区別がある場合の両面印刷処理（Ｓ１３）の詳細を示す。ＣＰＵ８７は、用紙３の長辺を綴じるための印刷が行われる場合（Ｓ２１：Ｙ）、または、用紙３の短辺を綴じ且つ奇数ページと偶数ページとに印刷される画像の天地を揃えるための印刷が行われる場合（Ｓ２１：Ｎで、Ｓ２４：Ｎ）には、Ｓ５０において、第１指示画面Ｐ７０を表示装置８４に表示させる第１表示処理Ｃを実行する（図２６参照）。第１指示画面Ｐ７０は、図２６に示すように、用紙カセット６及びＭＰトレイ７への用紙３の載置方法についてユーザに指示するようになっている。
【０１３５】
第１指示画面Ｐ７０の上部には、上述の用紙３の載置方法について文字で指示するダイアログ表示部Ｐ１１が表示されている。このダイアログ表示部Ｐ１１には、
（ｂ）用紙３の搬送方向に対する、用紙３の天側の向き
（ｃ）用紙３の表面の向き
（ｄ）用紙カセット６及びＭＰトレイ７への用紙３の載置方法
が表示される。具体的には、
「用紙を下記の様にセットしてください。カセットの場合は（（ｄ）に対応）、用紙上部を手前（（ｂ）に対応）、表面を上にしてください（（ｃ）に対応）。ＭＰの場合は逆にしてください（（ｄ）に対応）。」と表示されている。
【０１３６】
ユーザは、第１指示画面Ｐ７０を見ることにより、ダイアログ表示部Ｐ１１からは文字情報によって用紙３の載置方法を指示され、且つ、ダイアログ表示部Ｐ１１の下方に表示された用紙カセット指示画面Ｐ１２及びＭＰトレイ指示画面Ｐ１３からは画像情報によって用紙３の載置方法を指示されるようになっている。これにより、用紙３を用紙カセット６又はＭＰトレイ７に容易に載置することができる。
【０１３７】
両指示画面Ｐ１２、Ｐ１３の下方には、１回目の印刷処理を実行させるためのＯＫボタンＰ１４と、印刷処理を中止させるためのキャンセルボタンＰ１５が左右に並んで表示されている。
【０１３８】
ユーザは、用紙３を用紙カセット６又はＭＰトレイ７に載置すると、第１表示画面Ｐ７０のＯＫボタンＰ１４を選択する。すると、Ｓ５１で「ＯＫ」となり、ＣＰＵ８７は偶数ページ降順印刷処理（Ｓ２６）を実行する。尚、用紙３に表裏の区別がある場合の両面印刷処理を行うために用紙３を用紙カセット６またはＭＰトレイ７に載置する場合、元々片面印刷のために載置された用紙３の余りを使用する場合には、載置された用紙３を全て裏返して、図２６に示すように載置することとなる。
【０１３９】
Ｓ２６からＳ３２までは、実施形態１と同様の処理を行うので（図１４参照）、重複する説明を省略する。
【０１４０】
ＣＰＵ８７は、Ｓ３２において奇数ページ昇順印刷処理を実行すると、用紙３を排紙トレイ４に排出させる。
【０１４１】
本実施形態のように、１回目の印刷時に偶数ページから印刷する場合、元々片面印刷モードでの印刷に使用するために載置された用紙３の余りを使用する場合には、上述したように、ユーザは、用紙カセット６又はＭＰトレイ７に、用紙３の面を片面印刷モードの場合とは裏返しにして載置しなければならない。このため、用紙３の両面に画像が形成されたときに、用紙カセット６又はＭＰトレイ７に、裏返された用紙３が残存する場合がある。裏返された用紙３が残存した状態のまま、片面印刷モードで画像を形成すると、用紙３の表面７６に画像が形成されなくなることが懸念される。
【０１４２】
上記の点に鑑み、ＣＰＵ８７は、図２５のＳ５３において、表示装置８４に第２指示画面Ｐ７２を表示させる第２表示処理を実行する（図２７参照）。第２指示画面Ｐ７２は、図２７に示すように、用紙カセット６及びＭＰトレイ７に残った用紙３を更に裏返して、片面印刷モードにおける用紙３の載置方法に戻すよう、ユーザに指示するようになっている。
【０１４３】
第２指示画面Ｐ７２の上部には、上述の用紙３の載置方法について文字で指示するダイアログ表示部Ｐ１１が表示されている。このダイアログ表示部Ｐ１１には、
（ｂ）用紙３の搬送方向に対する、用紙３の天側の向き
（ｃ）用紙３の表面の向き
（ｄ）用紙カセット６及びＭＰトレイ７への用紙３の載置方法
（ｅ）用紙３を裏返すこと
が表示される。具体的には、
「用紙を下記の様に裏返してください（（ｅ）に対応）。カセットの場合は（（ｄ）に対応）、用紙上部を手前（（ｂ）に対応）、表面を下にしてください（（ｃ）に対応）。ＭＰの場合は逆にしてください（（ｄ）に対応）。」と表示されている。
【０１４４】
ユーザは、第２指示画面Ｐ７２を見ることにより、ダイアログ表示部Ｐ１１からは文字情報によって用紙３の載置方法を指示され、且つ、ダイアログ表示部Ｐ１１の下方に表示された用紙カセット指示画面Ｐ１２及びＭＰトレイ指示画面Ｐ１３からは画像情報によって用紙３の載置方法を指示されるようになっている。これにより、片面印刷モードにおける用紙３の載置方法に戻すように、用紙３を用紙カセット６又はＭＰトレイ７に容易に載置することができる。これにより、両面印刷モードの終了後に、片面印刷モードでの印刷を行った場合、使用したい面の裏面に画像が形成されることを防止できる。
【０１４５】
図２５における第２表示処理（Ｓ５３）によって第２指示画面Ｐ７２（図２７参照）が表示され、ユーザが、用紙カセット６又はＭＰトレイ７に残存する用紙３を裏返した後、用紙カセット指示画面Ｐ１２及びＭＰトレイ指示画面Ｐ１３の下方に表示されたＯＫボタンＰ１４を選択すると、印刷処理は終了する。
【０１４６】
一方、図２５において、用紙３の短辺を綴じる場合であって（Ｓ２１：Ｎ）、且つ、用紙３の表面７６と裏面７７とで印刷対象画像の天地を反転させる場合には（Ｓ２４：Ｙ）、Ｓ５２において、ＣＰＵ８７は、第１指示画面Ｐ７１を表示装置８４に表示させる第１表示処理Ｄを実行する（図２８参照）。第１指示画面Ｐ７１は、図２８に示すように、用紙カセット６及びＭＰトレイ７への用紙３の載置方法についてユーザに指示するようになっている。
【０１４７】
第１指示画面Ｐ７１の上部には、上述の用紙３の載置方法について文字で指示するダイアログ表示部Ｐ１１が表示されている。このダイアログ表示部Ｐ１１には、
（ｂ）用紙３の搬送方向に対する、用紙３の天側の向き
（ｃ）用紙３の表面の向き
（ｄ）用紙カセット６及びＭＰトレイ７への用紙３の載置方法
が表示される。具体的には、
「用紙を下記の様にセットしてください。カセットの場合は（（ｄ）に対応）、用紙上部を奥（（ｂ）に対応）、表面を上にしてください（（ｃ）に対応）。ＭＰの場合は逆にしてください（（ｄ）に対応）。」と表示されている。
【０１４８】
ユーザは、第１指示画面Ｐ７１を見ることにより、ダイアログ表示部Ｐ１１からは文字情報によって用紙３の載置方法を指示され、且つ、ダイアログ表示部Ｐ１１の下方に表示された用紙カセット指示画面Ｐ１２及びＭＰトレイ指示画面Ｐ１３からは画像情報によって用紙３の載置方法を指示されるようになっている。これにより、用紙３を用紙カセット６又はＭＰトレイ７に容易に載置することができる。
【０１４９】
ユーザは、用紙３を用紙カセット６又はＭＰトレイ７に載置すると、第１表示画面Ｐ７１のＯＫボタンＰ１４を選択する。すると、Ｓ５１で「ＯＫ」となり、ＣＰＵ８７は偶数ページ降順印刷処理（Ｓ２６）に進み、以後、Ｓ５３まで上記と同様の処理を実行する。
【０１５０】
本実施形態において、用紙３に表裏の区別がある場合の両面印刷処理を行うために用紙３を用紙カセット６またはＭＰトレイ７に載置する場合、元々片面印刷のために載置された用紙３の余りを使用する場合には、１回目の偶数ページの印刷の前に１回、２回目の奇数ページの印刷の後に１回、ユーザは用紙３を裏返すことになる。しかしながら、用紙カセット６またはＭＰトレイ７に載置されている全ての用紙３を裏返すので、必要枚数だけ用紙３を数えて裏返す、といった手間を省くことができる。このため、印刷ページ数が多い場合には、さらに有効となる。また、第１実施形態と同様に、用紙３を載置する際の用紙向きが指示されるために、用紙３の向きを考えて載置する、といった手間を省くことができる。
【０１５１】
＜実施形態３＞
図２９ないし図３６を参照して実施形態３を説明する。本実施形態では、図１１における、用紙３に表裏の区別がある場合の両面印刷処理Ｓ１３の内容が実施形態１（図１４参照）と異なる。上記以外の構成については、実施形態１と略同じなので、図１４と同一部分には同一符号を付して重複する説明を省略する。
【０１５２】
図２９に、実施形態３における用紙３に表裏の区別がある場合の両面印刷処理（Ｓ１３）の詳細を示す。まず、ＣＰＵ８７は、プリンタドライバを制御するプログラムから、印刷対象ファイルのページ情報を取得し、実際に使用される用紙３の枚数｛（ｎ＋１）／２の整数部分｝を算出する（Ｓ２０）。本実施形態においては、まず、１回目の印刷において、用紙３の表面７６に、用紙３の天側に正立する方向で、印刷対象画像の奇数ページを昇順に並び替えて、レーザプリンタ１に印刷させる。
【０１５３】
このときユーザは、用紙カセット６に用紙３を載置する際、図３０に示すように、用紙３の表面７６が下を向くようにし、且つ、用紙３の天側が前側（用紙３の搬送方向下流側）に位置するようにして、用紙３を載置しなければならない。これは、片面印刷モードにおいて用紙カセット６に用紙３を載置する際の用紙３の面の向き、及び用紙３の天地の方向と同じである（図６参照）。
【０１５４】
一方、ユーザは、ＭＰトレイ７に用紙３を載置する場合には、図３１に示すように、用紙３の表面７６が上を向くようにし、且つ、用紙３の天側が後側（用紙３の搬送方向下流側）に位置するようにして、用紙３を載置しなければならない。これは、片面印刷モードにおいてＭＰトレイ７に用紙３を載置する際の用紙３の面の向き、及び、用紙３の天地の方向と同じである（図７参照）。
【０１５５】
このため、ユーザは、１回目の印刷時において、用紙３を、片面印刷モードの場合と異ならせる（裏返す）必要がない。このような場合にまで、実施形態１のように、表示装置８４に第１指示画面Ｐ１０（図１６参照）、Ｐ２０（図２１参照）が表示されて、ユーザがその内容を確認しなければならないとなると、煩わしい。
【０１５６】
そこで本実施形態においては、図２９のＳ６０にて、ＣＰＵ８７は、表示装置８４に第１指示画面Ｐ１０、Ｐ２０を表示させない第２表示制御処理Ｓ６０を実行させる構成とした。これにより、第１指示画面Ｐ１０、Ｐ２０が表示されないので、ユーザは、第１指示画面Ｐ１０、Ｐ２０の確認を行わなくてもよい。この結果、レーザプリンタ１が、１回目の印刷において、用紙３の表面７６に印刷対象画像の奇数ページを昇順に並び替えて印刷させる構成となっている場合には、第１指示画面Ｐ１０、Ｐ２０を確認する手間を省くことができる。
【０１５７】
Ｓ６０の第２表示制御処理が終了すると、ＣＰＵ８７は、奇数ページ昇順印刷処理Ｓ６１を実行し、用紙３の表面７６に、印刷対象の画像ファイルのうち奇数ページを昇順（１、３、５、…）に並び替えて、レーザプリンタ１に印刷させる。
【０１５８】
Ｓ６１が終了した後、用紙３の長辺を綴じるための印刷が行われる場合（Ｓ２７：Ｙ）、または、用紙３の短辺を綴じ且つ奇数ページと偶数ページとに印刷される画像の天地を揃えるための印刷が行われる場合（Ｓ２１：Ｎで、Ｓ２４：Ｎ）に、ユーザは、排紙トレイ４に積載された、表面７６に奇数ページが印刷された用紙３を、ＭＰトレイ７に再セットする。このとき、図３２に示すように、用紙３の裏面７７に正立画像を形成するためには、ＭＰトレイ７に用紙３の表面７６が下を向くようにし、且つ、用紙３の天側が後側（用紙３の搬送方向下流側）を向くようにして載置しなければならない。
【０１５９】
そこで、Ｓ６１が終了した後、ＣＰＵ８７は、図２９における、Ｓ６２において、再セット指示画面Ｐ８０を表示装置８４に表示させる再セット表示処理Ｃを実行する（図３３参照）。
【０１６０】
再セット指示画面Ｐ８０は、図３３に示すように、ＭＰトレイ７への用紙３の載置方法についてユーザに指示するようになっている。再セット指示画面Ｐ８０の上部には、上述の用紙３の載置方法について指示するダイアログ表示部Ｐ８１が表示されている。このダイアログ表示部Ｐ８１には、
「奇数ページが印刷された後に、下図に従ってＭＰトレイに印刷済みの紙を再セットしてください。偶数ページを印刷するために、ＯＫをクリックしてください。」と表示されている。
【０１６１】
また、ダイアログ表示部Ｐ８１の下方には、ＭＰトレイ７への用紙３の載置方法を画像で指示するＭＰトレイ指示画面Ｐ８２が表示されている。具体的には、
（ｓ）用紙３の印刷済み面を下向きに再セットすること。
（ｔ）用紙３をその短辺側からレーザプリンタ１に挿入する場合には、既に印刷された画像の天側が、ＭＰトレイの奥側（用紙３の搬送方向に対して下流側）を向く姿勢で再セットすること。
（ｕ）用紙３をその長辺側からレーザプリンタ１に挿入する場合には、既に印刷された画像の右側が、ＭＰトレイの奥側（用紙３の搬送方向に対して下流側）を向く姿勢で再セットすること。
が、表示されている。
【０１６２】
ユーザは、再セット指示画面Ｐ８０を見ることにより、用紙３をＭＰトレイ７に容易に載置することができる。
【０１６３】
ＭＰトレイ指示画面Ｐ８２の下方には、２回目の印刷処理を実行させるためのＯＫボタンＰ３３と、印刷処理を中止させるためのキャンセルボタンＰ３４が左右に並んで表示されている。
【０１６４】
図２９の再セット表示処理Ｃ（Ｓ６２）により表示された再セット指示画面Ｐ８０に基づいて、ユーザが用紙３をＭＰトレイ７に載置し、再セット指示画面Ｐ８０のＯＫボタンＰ３３を選択する。すると、Ｓ６３で「ＯＫ」となり、ＣＰＵ８７は偶数ページ降順印刷処理（Ｓ６４）を実行する。
【０１６５】
Ｓ６４では、ＣＰＵ８７は、既に奇数ページが表面７６に印刷された用紙３の裏面７７に対して、印刷対象の画像ファイルのうち偶数ページを降順（…、６、４、２）に並び替えて、レーザプリンタ１に印刷させる。Ｓ６４が終了すると、用紙３を排紙トレイ４に排出させる。
【０１６６】
図３２に示すように、排紙トレイ４には、両面に画像が形成された用紙３が積載される。このとき排紙トレイ４に積載された用紙３の最上部には、１ページ目の画像が印刷された面を上に向けた姿勢で、用紙３が積載される。これは、片面印刷モードにおいて、印刷終了後に排紙トレイ４に積載された用紙３の、１ページ目の画像が印刷された面の向きとは異なっている（図６、７参照）。
【０１６７】
このため、例えば、片面印刷モードで印刷した用紙３と、両面印刷モードで印刷した用紙３とをまとめて綴じようとする場合、ページの並び順を揃えるためには、ユーザは両面印刷モードで印刷され排紙トレイ４に排紙された用紙３を裏返す必要がある。
【０１６８】
このとき、排紙トレイ４に積載された用紙３から両面印刷モードで印刷された用紙３のみを、１枚ずつ確認しながら裏返すのは煩わしい。また、両面印刷モードで印刷される枚数を、ユーザは常に認識して記憶しておなければならないとすると、これもユーザにとっては負担である。
【０１６９】
そこで、本実施形態においては、図２９に示すように、Ｓ６５において、ＣＰＵ８７は、第３指示画面Ｐ９０を表示装置８４に表示させる第３表示処理を実行する（図３４参照）。第３指示画面Ｐ９０は、図３４に示すように、排紙トレイ４に積載された用紙３を裏返すよう、ユーザに指示するようになっている。
【０１７０】
第３指示画面Ｐ９０の上部には、用紙３を裏返すよう指示するダイアログ表示部Ｐ９１が表示されている。このダイアログ表示部Ｐ９１には、
（ｖ）用紙３を何枚裏返すか。
（ｗ）用紙３のどの面をどちらに向けるか。
が表示される。具体的には、
「印刷済みの用紙７枚を下記のように裏返してください（（ｖ）に対応）。奇数ページを下にして下さい（（ｗ）に対応）。」と表示されている。
【０１７１】
また、ダイアログ表示部Ｐ９１の下方には、用紙３を裏返すことを画像で指示する排紙トレイ指示画面Ｐ９２が表示されている。具体的には、「用紙３の奇数ページを下向きにして排紙トレイ４に載置すること」、が表示されている。
【０１７２】
ユーザは、第３指示画面Ｐ９０を見ることにより、用紙３のページの並び順を、片面印刷モードで印刷された用紙３のページの並び順と、両面印刷モードで印刷された用紙３のページの並び順とを、容易に同じにすることができる。また、ユーザは、両面印刷モードで印刷される枚数を、認識し、記憶する必要もないので、ユーザの負担を軽減できる。
【０１７３】
排紙トレイ指示画面Ｐ９２の下方には、ＯＫボタンＰ９３が表示されている。ユーザが所定枚数の用紙３を裏返して、第３指示画面Ｐ９０のＯＫボタンＰ９３を選択すると、図２９の第３表示処理を終了し、印刷処理が終了する。
【０１７４】
また、図２９において、用紙３の短辺を綴じる場合であって（Ｓ２７：Ｎ）、且つ、用紙３の表面７６と裏面７７とで印刷対象画像の天地を反転させる場合には（Ｓ２９：Ｙ）、ユーザは、用紙３を、図３５に示すような姿勢で、ＭＰトレイ７に載置しなければならない。しかし、図１８に示すように、用紙３の表面７６には、用紙３の天地方向に対して正立した画像が印刷されている一方、２回目の印刷において用紙３の裏面７７にはその天地方向に対して倒立した画像を印刷しなければならない。このため、ユーザは、用紙３の表面７６に印刷されたロゴ７５を指標として、裏面７７に倒立した画像が印刷されるように用紙３をＭＰトレイ７に載置しようとすると、混乱しやすい。
【０１７５】
上記の点に鑑み本実施形態では、図２９のＳ６６において、ＣＰＵ８７は、再セット指示画面Ｐ８３を表示装置８４に表示させる再セット表示処理Ｄを実行する（図３６参照）。再セット指示画面Ｐ８３は、図３６に示すように、ＭＰトレイ７への用紙３の載置方法についてユーザに指示するようになっている。この再セット指示画面Ｐ８３は、用紙３の載置方法以外は上述した再セット指示画面Ｐ８０（図３３参照）と略同一なので、同一部分には同一符号を付して重複する説明を省略する。
【０１７６】
図３６に示すように、ＭＰトレイ指示画面Ｐ８２には、用紙３のＭＰトレイ７への載置方法が図示されている。具体的には、
（ｓ）用紙３の印刷済み面を下向きに再セットすること。
（ｔ）用紙３をその短辺側からレーザプリンタ１に挿入する場合には、既に印刷された画像の天側が、ＭＰトレイの手前側（用紙３の搬送方向に対して上流側）を向く姿勢で再セットすること。
（ｕ）用紙３をその長辺側からレーザプリンタ１に挿入する場合には、既に印刷された画像の左側が、ＭＰトレイの奥側（用紙３の搬送方向に対して下流側）を向く姿勢で再セットすること。
が、表示されている。
【０１７７】
図２９の再セット表示処理Ｄ（Ｓ６６）により表示された再セット指示画面Ｐ８３に基づいて、ユーザが用紙３をＭＰトレイ７に載置し、再セット指示画面Ｐ８３のＯＫボタンＰ３３を選択する。すると、図２９のＳ６３で「ＯＫ」となり、ＣＰＵ８７は偶数ページ降順印刷処理（Ｓ６４）を実行する。Ｓ６４が終了すると、ＣＰＵ８７は用紙３を排紙トレイ４に排出させる。その後、ＣＰＵ８７は第３表示処理Ｓ６５を実行し、印刷に関する処理は終了する。
【０１７８】
＜実施形態４＞
図３７を参照して実施形態４を説明する。本実施形態では、図１１における、用紙３に表裏の区別がない場合の両面印刷処理Ｓ１４の内容が実施形態１（図２３参照）と異なる。上記以外の構成については、実施形態１と略同じなので、図２３と同一部分には同一符号を付して重複する説明を省略する。
【０１７９】
図１１の印刷処理における、用紙３に対して表裏の区別をするか否かを判断するステップ（Ｓ１２）で、ユーザは、用紙３に対して表裏の区別をしないと判断したので（Ｓ１２：Ｎ）、ユーザは１回目の印刷時において、用紙カセット６又はＭＰトレイ７に用紙３を載置する際に、用紙３の面の向きを考慮しなくてもよい。このような場合にまで、第１指示画面Ｐ１０、Ｐ２０が表示されて、ユーザがその内容を確認しなければならないとなると、煩わしい。
【０１８０】
そこで、本実施形態では、ＣＰＵ８７は、第１指示画面Ｐ１０、Ｐ２０を表示装置８４に表示させない第１表示制御処理Ｓ７０を実行する。これにより、ユーザは第１指示画面Ｐ１０、Ｐ２０を確認しなくてもよいので、ユーザの負担が軽減される。
【０１８１】
Ｓ７０が終了すると、ＣＰＵ８７は偶数ページ降順印刷処理Ｓ２６を実行する。このＳ２６からＳ３２までは、実施形態１と同じ処理なので、同じ処理については同一符号を付して、重複する説明を省略する（図２３参照）。
【０１８２】
＜実施形態５＞
図３８及び図３９を参照して実施形態５を説明する。図３８は、本発明の実施形態５に係るレーザプリンタ１の斜視図である。レーザプリンタ１の本体ケーシングには、図３８において左手前側に位置する側壁に、ユーザーインターフェース画面等を表示可能な表示部９８が設けられている。
【０１８３】
図３９は、本実施形態の画像形成システム８０を示すブロック図である。本実施形態においては、パーソナルコンピュータ８１のＣＰＵ８７は、レーザプリンタ１の表示部９８に、本発明の第１指示画面Ｐ１０、Ｐ２０等を表示させるようになっている。
【０１８４】
また、ユーザは、表示部９８に表示された第１指示画面Ｐ１０、Ｐ２０等の指示に対して、レーザプリンタ１の操作部９０を操作することで外部から情報を入力可能になっている。
【０１８５】
上記以外の構成は、実施形態１と略同じなので、同一部分については同一符号を付して重複する説明を省略する。
【０１８６】
本実施形態のように、パーソナルコンピュータ８１とレーザプリンタ１とがＬＡＮケーブル８２を介して接続されている場合には、パーソナルコンピュータ８１とレーザプリンタ１とが離れて設置されている場合がある。この場合に、パーソナルコンピュータ８１に接続された表示装置８４に第１指示画面Ｐ１０、Ｐ２０等を表示させる構成によると、ユーザは指示画面を確認するためにパーソナルコンピュータ８１が設置された場所までわざわざ移動しなければならず、煩わしい。
【０１８７】
上記の点を鑑み本実施形態では、ユーザは、レーザプリンタ１の表示部９８に表示されたＰ１０、Ｐ２０等を見ることができる構成になっている。これにより、ユーザは、わざわざパーソナルコンピュータ８１が設置された場所まで移動して指示画面を確認する必要がない。
【０１８８】
＜他の実施形態＞
本発明は上記記述及び図面によって説明した実施形態に限定されるものではなく、例えば次のような実施形態も本発明の技術的範囲に含まれる。
【０１８９】
（１）上記実施形態では、記憶媒体としてＵＳＢメモリ９７を例に挙げて説明したが、これに限らず、コンパクトフラッシュ（登録商標）、スマートメディア（登録商標）、メモリスティック（商標）などのメモリカードであってもよい。
【０１９０】
（２）本実施形態では、表裏の区別がある用紙３を用いたが、表裏の区別のない用紙３を用いてもよい。
【０１９１】
（３）本実施形態では、用紙３の天側にロゴ７５が印刷されていたが、用紙３の地側にロゴ７５が印刷されていてもよく、用紙３について天地の区別可能であるならば、ロゴ７５は任意の場所に印刷しうる。また、天地の区別をなしうるのであれば、ロゴ７５に限られず、任意の画像を形成してもよい。
【０１９２】
（４）本実施形態では、天地の区別がある用紙３を用いたが、天地の区別のない用紙３を用いてもよい。
【０１９３】
（５）本実施形態では、排紙トレイ４はレーザプリンタ１の上部に設けられる構成としたが、排紙トレイ４に加えて、レーザプリンタ１の本体ケーシング２に、排紙パス５２に臨む位置に開口を設け、この開口に連なる側部排紙トレイを設けてもよい。この側部排紙トレイに、１回目の印刷が終了した用紙３を積載し、２回目の印刷が終了した用紙３は排紙トレイ４に積載する構成としてもよい。また、１回目の印刷が終了した用紙３を排紙トレイ４に積載し、２回目の印刷が終了した用紙３は側部排紙トレイに積載する構成としてもよい。また、１回目の印刷が終了した用紙３と、２回目の印刷が終了した用紙３とを共に側部排紙トレイに積載する構成としてもよい。
【０１９４】
（６）本実施形態では、２回目の印刷時にＭＰトレイ７に用紙３を載置する構成としたが、２回目の印刷時に、用紙カセット６に用紙３を載置する構成としてもよい。
【０１９５】
（７）本実施形態では、用紙３の搬送方向に対して下流側に、印刷対象画像の天側を印刷する構成としたが、用紙３の搬送方向に対して上流側に、印刷対象画像の天側を印刷する構成としてもよい。
【０１９６】
（８）１回目の印刷時に印刷対象画像のページ数を降順に印刷してもよいし、また、昇順に印刷してもよい。そして、２回目の印刷により用紙３の両面に所望の画像を印刷可能であれば、２回目の印刷時に印刷対象画像のページ数を降順に印刷してもよいし、昇順に印刷してもよい。なお、２回目の印刷終了時に、排紙トレイ４に積載された用紙３のページ数が、上から、又は、下から数えて、「１、２、３、４、…」と並んだ状態になるように、２回目の印刷時における印刷対象画像の並び順を設定することが好ましい。
【０１９７】
（９）第２指示画面Ｐ７２は、図２５の奇数ページ昇順印刷処理Ｓ３２が終了した後に表示する構成としてもよいし、奇数ページ昇順印刷処理Ｓ３２を行っているときに表示する構成としてもよく、図２５のＳ３１で「ＯＫ」となった後であれば任意のときに表示してよい。
【０１９８】
（１０）第３指示画面Ｐ９０は、図２９の偶数ページ降順印刷処理Ｓ６４が終了した後に表示する構成としてもよいし、偶数ページ降順印刷処理Ｓ６４を行っているときに表示する構成としてもよく、図２９のＳ６３で「ＯＫ」となった後であれば任意のときに表示してよい。
【０１９９】
（１１）実施形態５では、パーソナルコンピュータ８１のＣＰＵ８７が、レーザプリンタ１の表示部９８に第１指示画面Ｐ１０、Ｐ２０等を表示させる構成としたが、これに限られず、レーザプリンタ１のＣＰＵ９４が、表示部９８に第１指示画面Ｐ１０、Ｐ２０等を表示させる構成としてもよい。この場合、表示制御プログラムは、レーザプリンタ１のＲＯＭ９２に格納されていてもよい。
【図面の簡単な説明】
【０２００】
【図１】本発明の実施形態１に係るレーザプリンタの要部側断面図
【図２】ＭＰトレイを開いた状態をレーザプリンタの要部側断面図
【図３】画像形成システムの全体構成を示すブロック図
【図４】用紙の表面及び裏面を示す平面図
【図５】片面印刷モードで印刷された用紙の表面を示す平面図
【図６】片面印刷モード時に、用紙カセットに給紙した場合における用紙の面の向きを示す模式図
【図７】片面印刷モード時に、ＭＰトレイに給紙した場合における用紙の面の向きを示す模式図
【図８】両面印刷モードにおいて、用紙の表裏で画像を天地反転させずに印刷した場合の、用紙の表面及び裏面を示す平面図
【図９】両面印刷モード時に、１回目の印刷時に用紙カセットに給紙した場合における用紙の面の向きを示す模式図
【図１０】両面印刷モード時に、２回目の印刷時にＭＰトレイに給紙した場合における用紙の面の向きを示す模式図
【図１１】印刷処理のフローチャート
【図１２】応用設定画面の一例
【図１３】応用設定画面の一例
【図１４】用紙に表裏の区別がある場合の両面印刷処理のフローチャート
【図１５】両面印刷モード時に、１回目の印刷時にＭＰトレイに給紙した場合における用紙の面の向きを示す模式図
【図１６】第１指示画面の一例
【図１７】再セット指示画面の一例
【図１８】両面印刷モードにおいて、用紙の表裏で画像を天地反転させて印刷した場合の、用紙の表面及び裏面を示す平面図
【図１９】両面印刷モード時に、１回目の印刷時に用紙カセットに給紙した場合における用紙の面の向きを示す模式図
【図２０】両面印刷モード時に、２回目の印刷時にＭＰトレイに給紙した場合における用紙の面の向きを示す模式図
【図２１】第１指示画面の一例
【図２２】再セット指示画面の一例
【図２３】用紙に表裏の区別がない場合の両面印刷処理のフローチャート
【図２４】給紙指示画面の一例
【図２５】実施形態２における、用紙に表裏の区別がある場合の両面印刷処理のフローチャート
【図２６】第１指示画面の一例
【図２７】第２指示画面の一例
【図２８】第１指示画面の一例
【図２９】実施形態３における、用紙に表裏の区別がある場合の両面印刷処理のフローチャート
【図３０】両面印刷モード時に、１回目の印刷時に用紙カセットに給紙した場合における用紙の面の向きを示す模式図
【図３１】両面印刷モード時に、１回目の印刷時にＭＰトレイに給紙した場合における用紙の面の向きを示す模式図
【図３２】両面印刷モード時に、２回目の印刷時にＭＰトレイに給紙した場合における用紙の面の向きを示す模式図
【図３３】再セット指示画面の一例
【図３４】第３指示画面の一例
【図３５】両面印刷モード時に、２回目の印刷時にＭＰトレイに給紙した場合における用紙の面の向きを示す模式図
【図３６】再セット指示画面の一例
【図３７】実施形態４における、用紙に表裏の区別がない場合の両面印刷処理のフローチャート
【図３８】実施形態５に係るレーザプリンタの全体斜視図
【図３９】画像形成システムの全体構成を示すブロック図
【符号の説明】
【０２０１】
１…レーザプリンタ（画像形成装置）
３…用紙（シート）
４…排紙トレイ（積載部）
６…用紙カセット（載置部）
７…ＭＰトレイ（載置部）
８４…表示装置
８７…ＣＰＵ（コンピュータ）
９８…表示部